(57)【特許請求の範囲】
【請求項１】
第１の庫室に配設される第１の庫内熱交換器及び第２の庫室に配設される第２の庫内熱交換器を備えた冷凍装置において、
前記第１の庫内熱交換器，前記第２の庫内熱交換器，前記第１及び第２の庫室の外に配設される庫外熱交換器，及び冷媒を圧縮しガス相の冷媒として吐出する圧縮機、を含む冷媒回路であって、
前記庫外熱交換器は、直列に接続された第１の庫外熱交換器と第２の庫外熱交換器とを有し、
前記圧縮機から吐出した前記冷媒を前記第１の庫内熱交換器に導入する第１の配管経路と、前記第１の庫内熱交換器で凝縮して液相化した前記冷媒を、前記庫外熱交換器に対し前記第１の庫外熱交換器のみに導入する第２の配管経路と、前記第１の庫外熱交換器で過冷却された液相の前記冷媒を前記第２の庫内熱交換器に導入する第３の配管経路と、を含む第１の冷媒流路と、
前記圧縮機から吐出した前記冷媒を前記第１の庫内熱交換器及び前記第２の庫内熱交換器に対し分岐して導入する第４の配管経路と、前記第１及び第２の庫内熱交換器で液相化した前記冷媒を前記第１の庫外熱交換器に導入し、次に前記第２の庫外熱交換器に導入する第５の配管経路と、を含む第２の冷媒流路と、
前記圧縮機から吐出したガス相の前記冷媒を前記第２の庫外熱交換器に導入し、次に前記第１の庫外熱交換器に導入する第６の配管経路と、前記第２の庫外熱交換器及び前記第１の庫外熱交換器で凝縮して液相化した前記冷媒を前記第１の庫内熱交換器及び前記第２の庫内熱交換器に対し分岐して導入する第７の配管経路と、を含む第３の冷媒流路と、
を有する冷媒回路と、
前記冷媒を流す流路として、前記第１の冷媒流路と、前記第２の冷媒流路と、前記第３の冷媒流路と、を選択的に切り替える流路切り替え部と、
を備えたことを特徴とする冷凍装置。
【請求項２】
第１の庫室に配設される第１の庫内熱交換器及び第２の庫室に配設される第２の庫内熱交換器を備えた冷凍装置において、
前記第１の庫内熱交換器，前記第２の庫内熱交換器，前記第１及び第２の庫室の外に配設される庫外熱交換器，及び冷媒を圧縮しガス相の冷媒として吐出する圧縮機、を含む冷媒回路であって、
前記圧縮機から吐出した前記冷媒を前記第１の庫内熱交換器に導入する第１の配管経路と、前記第１の庫内熱交換器で凝縮して液相化した前記冷媒を前記庫外熱交換器に導入する第２の配管経路と、前記庫外熱交換器で過冷却された液相の前記冷媒を前記第２の庫内熱交換器に導入する第３の配管経路と、を含む第１の冷媒流路と、
前記圧縮機から吐出した前記冷媒を前記第１の庫内熱交換器及び前記第２の庫内熱交換器に対し分岐して導入する第４の配管経路と、前記第１及び第２の庫内熱交換器で液相化した前記冷媒を前記庫外熱交換器に導入する第５の配管経路と、を含む第２の冷媒流路と、
前記圧縮機から吐出したガス相の前記冷媒を前記庫外熱交換器に導入する第６の配管経路と、前記庫外熱交換器で凝縮して液相化した前記冷媒を前記第１の庫内熱交換器及び前記第２の庫内熱交換器に対し分岐して導入する第７の配管経路と、を含む第３の冷媒流路と、
を有する冷媒回路と、
前記冷媒を流す流路として、前記第１の冷媒流路と、前記第２の冷媒流路と、前記第３の冷媒流路と、を選択的に切り替える流路切り替え部と、
を備え、
前記第４の配管経路と前記第７の配管経路とは、それぞれの一部が共通経路とされ、前記共通経路に受液器が配設されていることを特徴とする冷凍装置。
【請求項３】
第１の庫室に配設される第１の庫内熱交換器及び第２の庫室に配設される第２の庫内熱交換器を備えた冷凍装置において、
前記第１の庫内熱交換器，前記第２の庫内熱交換器，前記第１及び第２の庫室の外に配設される庫外熱交換器，及び冷媒を圧縮しガス相の冷媒として吐出する圧縮機、を含む冷媒回路であって、
前記圧縮機から吐出した前記冷媒を前記第１の庫内熱交換器に導入する第１の配管経路と、前記第１の庫内熱交換器で凝縮して液相化した前記冷媒を前記庫外熱交換器に導入する第２の配管経路と、前記庫外熱交換器で過冷却された液相の前記冷媒を前記第２の庫内熱交換器に導入する第３の配管経路と、を含む第１の冷媒流路と、
前記圧縮機から吐出した前記冷媒を前記第１の庫内熱交換器及び前記第２の庫内熱交換器に対し分岐して導入する第４の配管経路と、前記第１及び第２の庫内熱交換器で液相化した前記冷媒を前記庫外熱交換器に導入する第５の配管経路と、を含む第２の冷媒流路と、
前記圧縮機から吐出したガス相の前記冷媒を前記庫外熱交換器に導入する第６の配管経路と、前記庫外熱交換器で凝縮して液相化した前記冷媒を前記第１の庫内熱交換器及び前記第２の庫内熱交換器に対し分岐して導入する第７の配管経路と、を含む第３の冷媒流路と、
を有する冷媒回路と、
前記冷媒を流す流路として、前記第１の冷媒流路と、前記第２の冷媒流路と、前記第３の冷媒流路と、を選択的に切り替える流路切り替え部と、
を備え、
前記庫外熱交換器は、
外気を一定方向に送るファンと、前記一定方向の上流側に位置する上流側熱交換器と、前記上流側熱交換器と直列に接続され下流側に位置する下流側熱交換器と、を有し、
前記第１の冷媒流路が選択された場合、前記上流側熱交換器が、導入された液相化した前記冷媒を過冷却して導出する過冷却熱交換器として機能し、
前記第２の冷媒流路が選択された場合、前記上流側熱交換器が、導入された液相の前記冷媒を過冷却させる過冷却熱交換器として機能すると共に、前記下流側熱交換器が、前記上流側熱交換器で過冷却された前記冷媒を蒸発させガス相の冷媒として導出する蒸発器として機能し、
前記第３の冷媒流路が選択された場合、前記上流側熱交換器と前記下流側熱交換器とが、一体的に、前記圧縮機から吐出したガス相の前記冷媒を凝縮させ液相冷媒として導出する凝縮器として機能することを特徴とする冷凍装置。
【請求項４】
前記流路切り替え部によって選択切り替えされた前記冷媒を流す流路が、前記第１の冷媒流路の場合に、前記第１の庫内熱交換器における熱交換で前記第１の庫室内が加温され、前記第２の庫内熱交換器における熱交換で前記第２の庫室内が冷却されることを特徴とする請求項１〜３のいずれか１項に記載の冷凍装置。
【請求項５】
前記第１〜第３の冷媒流路は、互いに、前記第１の庫内熱交換器及び前記第２の庫内熱交換器を流れる前記冷媒の流れ方向が同じになるよう構成されていることを特徴とする請求項１〜４のいずれか１項に記載の冷凍装置。
【請求項６】
請求項１〜５のいずれか１項に記載の冷凍装置と、前記第１の庫室と、前記第２の庫室と、を備えた冷凍庫。
【発明の詳細な説明】
【技術分野】
【０００１】
本発明は、冷凍装置及び冷凍庫に係り、特に、複数の庫室それぞれに対し冷却と加温とを選択的に実行可能な、冷凍装置及び冷凍庫に関する。
【背景技術】
【０００２】
例えば、冷凍庫を備えコンビニエンスストアなどへの商品配送に使用される冷凍車として、庫内に収められた荷物を外気温によらず最適な温度で輸送するため、その庫内を冷却のみならず加温することもできる冷凍装置を搭載した冷凍車が知られている。
また、複数（例えば二つ）の庫室を有する冷凍庫と、その二つの庫室を互いに異なる設定温度で維持できるように冷却又は加温するヒートポンプ式の冷凍装置と、を搭載した冷凍車が特許文献１に記載されている。このような冷凍車は、保存温度の異なる荷物を同一便で輸送できるので、輸送効率が向上する。
【先行技術文献】
【特許文献】
【０００３】
【特許文献１】特開２０１３−２３４７８４号公報
【発明の概要】
【発明が解決しようとする課題】
【０００４】
特許文献１に記載された冷凍装置は、二つの庫室内を加温するときに、循環する冷媒量が低下し加温能力が不足することを防止すべく、二つの庫室の冷媒流路に対し、冷媒を同時ではなく交互に循環させるようになっている。
そのため、庫室内の温度は、流路の切り替えに伴って上下に変化し、設定温度に対し精度よく安定維持させにくい、という改善すべき点があった。
【０００５】
そこで、本発明が解決しようとする課題は、複数の庫室内を冷却又は加温する際に、それぞれの庫室内温度を、設定温度で精度よく安定維持させることができる冷凍装置及び冷凍庫を提供することにある。
【課題を解決するための手段】
【０００６】
上記の課題を解決するために、本発明は次の構成を有する。
１）  第１の庫室に配設される第１の庫内熱交換器及び第２の庫室に配設される第２の庫内熱交換器を備えた冷凍装置において、
前記第１の庫内熱交換器，前記第２の庫内熱交換器，前記第１及び第２の庫室の外に配設される庫外熱交換器，及び冷媒を圧縮しガス相の冷媒として吐出する圧縮機、を含む冷媒回路であって、
前記庫外熱交換器は、直列に接続された第１の庫外熱交換器と第２の庫外熱交換器とを有し、
前記圧縮機から吐出した前記冷媒を前記第１の庫内熱交換器に導入する第１の配管経路と、前記第１の庫内熱交換器で凝縮して液相化した前記冷媒を、前記庫外熱交換器に対し前記第１の庫外熱交換器のみに導入する第２の配管経路と、前記第１の庫外熱交換器で過冷却された液相の前記冷媒を前記第２の庫内熱交換器に導入する第３の配管経路と、を含む第１の冷媒流路と、
前記圧縮機から吐出した前記冷媒を前記第１の庫内熱交換器及び前記第２の庫内熱交換器に対し分岐して導入する第４の配管経路と、前記第１及び第２の庫内熱交換器で液相化した前記冷媒を前記第１の庫外熱交換器に導入し、次に前記第２の庫外熱交換器に導入する第５の配管経路と、を含む第２の冷媒流路と、
前記圧縮機から吐出したガス相の前記冷媒を前記第２の庫外熱交換器に導入し、次に前記第１の庫外熱交換器に導入する第６の配管経路と、前記第２の庫外熱交換器及び前記第１の庫外熱交換器で凝縮して液相化した前記冷媒を前記第１の庫内熱交換器及び前記第２の庫内熱交換器に対し分岐して導入する第７の配管経路と、を含む第３の冷媒流路と、
を有する冷媒回路と、
前記冷媒を流す流路として、前記第１の冷媒流路と、前記第２の冷媒流路と、前記第３の冷媒流路と、を選択的に切り替える流路切り替え部と、
を備えたことを特徴とする冷凍装置である。
２）  第１の庫室に配設される第１の庫内熱交換器及び第２の庫室に配設される第２の庫内熱交換器を備えた冷凍装置において、
前記第１の庫内熱交換器，前記第２の庫内熱交換器，前記第１及び第２の庫室の外に配設される庫外熱交換器，及び冷媒を圧縮しガス相の冷媒として吐出する圧縮機、を含む冷媒回路であって、
前記圧縮機から吐出した前記冷媒を前記第１の庫内熱交換器に導入する第１の配管経路と、前記第１の庫内熱交換器で凝縮して液相化した前記冷媒を前記庫外熱交換器に導入する第２の配管経路と、前記庫外熱交換器で過冷却された液相の前記冷媒を前記第２の庫内熱交換器に導入する第３の配管経路と、を含む第１の冷媒流路と、
前記圧縮機から吐出した前記冷媒を前記第１の庫内熱交換器及び前記第２の庫内熱交換器に対し分岐して導入する第４の配管経路と、前記第１及び第２の庫内熱交換器で液相化した前記冷媒を前記庫外熱交換器に導入する第５の配管経路と、を含む第２の冷媒流路と、
前記圧縮機から吐出したガス相の前記冷媒を前記庫外熱交換器に導入する第６の配管経路と、前記庫外熱交換器で凝縮して液相化した前記冷媒を前記第１の庫内熱交換器及び前記第２の庫内熱交換器に対し分岐して導入する第７の配管経路と、を含む第３の冷媒流路と、
を有する冷媒回路と、
前記冷媒を流す流路として、前記第１の冷媒流路と、前記第２の冷媒流路と、前記第３の冷媒流路と、を選択的に切り替える流路切り替え部と、
を備え、
前記第４の配管経路と前記第７の配管経路とは、それぞれの一部が共通経路とされ、前記共通経路に受液器が配設されていることを特徴とする冷凍装置である。
３）  第１の庫室に配設される第１の庫内熱交換器及び第２の庫室に配設される第２の庫内熱交換器を備えた冷凍装置において、
前記第１の庫内熱交換器，前記第２の庫内熱交換器，前記第１及び第２の庫室の外に配設される庫外熱交換器，及び冷媒を圧縮しガス相の冷媒として吐出する圧縮機、を含む冷媒回路であって、
前記圧縮機から吐出した前記冷媒を前記第１の庫内熱交換器に導入する第１の配管経路と、前記第１の庫内熱交換器で凝縮して液相化した前記冷媒を前記庫外熱交換器に導入する第２の配管経路と、前記庫外熱交換器で過冷却された液相の前記冷媒を前記第２の庫内熱交換器に導入する第３の配管経路と、を含む第１の冷媒流路と、
前記圧縮機から吐出した前記冷媒を前記第１の庫内熱交換器及び前記第２の庫内熱交換器に対し分岐して導入する第４の配管経路と、前記第１及び第２の庫内熱交換器で液相化した前記冷媒を前記庫外熱交換器に導入する第５の配管経路と、を含む第２の冷媒流路と、
前記圧縮機から吐出したガス相の前記冷媒を前記庫外熱交換器に導入する第６の配管経路と、前記庫外熱交換器で凝縮して液相化した前記冷媒を前記第１の庫内熱交換器及び前記第２の庫内熱交換器に対し分岐して導入する第７の配管経路と、を含む第３の冷媒流路と、
を有する冷媒回路と、
前記冷媒を流す流路として、前記第１の冷媒流路と、前記第２の冷媒流路と、前記第３の冷媒流路と、を選択的に切り替える流路切り替え部と、
を備え、
前記庫外熱交換器は、
外気を一定方向に送るファンと、前記一定方向の上流側に位置する上流側熱交換器と、前記上流側熱交換器と直列に接続され下流側に位置する下流側熱交換器と、を有し、
前記第１の冷媒流路が選択された場合、前記上流側熱交換器が、導入された液相化した前記冷媒を過冷却して導出する過冷却熱交換器として機能し、
前記第２の冷媒流路が選択された場合、前記上流側熱交換器が、導入された液相の前記冷媒を過冷却させる過冷却熱交換器として機能すると共に、前記下流側熱交換器が、前記上流側熱交換器で過冷却された前記冷媒を蒸発させガス相の冷媒として導出する蒸発器として機能し、
前記第３の冷媒流路が選択された場合、前記上流側熱交換器と前記下流側熱交換器とが、一体的に、前記圧縮機から吐出したガス相の前記冷媒を凝縮させ液相冷媒として導出する凝縮器として機能することを特徴とする冷凍装置である。
４）  前記流路切り替え部によって選択切り替えされた前記冷媒を流す流路が、前記第１の冷媒流路の場合に、前記第１の庫内熱交換器における熱交換で前記第１の庫室内が加温され、前記第２の庫内熱交換器における熱交換で前記第２の庫室内が冷却されることを特徴とする１）〜３）のいずれか一つに記載の冷凍装置である。
５）  前記第１〜第３の冷媒流路は、互いに、前記第１の庫内熱交換器及び前記第２の庫内熱交換器を流れる前記冷媒の流れ方向が同じになるよう構成されていることを特徴とする１）〜４）のいずれか一つに記載の冷凍装置である。
６）  １）〜５）のいずれか一つに記載の冷凍装置と、前記第１の庫室と、前記第２の庫室と、を備えた冷凍庫である。
【発明の効果】
【０００７】
本発明によれば、複数の庫室内を冷却又は加温する際に、それぞれの庫室内温度を、設定温度で精度よく安定維持させることができる。
【図面の簡単な説明】
【０００８】
【図１】本発明の実施の形態に係る冷凍装置の実施例１である冷凍装置５１の冷媒回路５２を説明するための冷媒回路図である。
【図２】冷凍装置５１の制御系を説明するためのブロック図である。
【図３】冷媒回路５２に配設された庫外熱交換器３を説明するための模式的断面図である。
【図４】庫外熱交換器３を説明するための第１の斜視図である。
【図５】庫外熱交換器３を説明するための第２の斜視図である。
【図６】庫外熱交換器３のパスを説明するための模式図である。
【図７】冷凍装置５１を搭載した冷凍車Ｃを説明するための模式図である。
【図８】冷凍装置５１の動作モードを説明するための表である。
【図９】冷媒回路５２に配設された四方弁２のモードを説明するための図である。
【図１０】冷凍装置５１の動作モードにおける電磁弁群１１Ｇのパターンを説明するための表である。
【図１１】モード番号１の動作モードを説明するための冷媒回路図である。
【図１２】モード番号２の動作モードを説明するための冷媒回路図である。
【図１３】モード番号３の動作モードを説明するための冷媒回路図である。
【図１４】モード番号４の動作モードを説明するための冷媒回路図である。
【図１５】モード番号５，６の動作モードを説明するための冷媒回路図である。
【図１６】モード番号７，８の動作モードを説明するための冷媒回路図である。
【図１７】実施例２の冷凍装置１５１の冷媒回路１５２を説明するための冷媒回路図である。
【図１８】冷凍装置１５１の制御系を説明するためのブロック図である。
【図１９】冷凍装置１５１の動作モードを説明するための表である。
【図２０】モード番号２１の動作モードを説明するための冷媒回路図である。
【図２１】モード番号２２の動作モードを説明するための冷媒回路図である。
【図２２】モード番号２３の動作モードを説明するための冷媒回路図である。
【図２３】モード番号２４の動作モードを説明するための冷媒回路図である。
【図２４】モード番号２５，２６の動作モードを説明するための冷媒回路図である。
【図２５】モード番号２７の動作モードを説明するための冷媒回路図である。
【図２６】モード番号２８の動作モードを説明するための冷媒回路図である。
【図２７】変形例１を説明するための冷媒回路図である
【図２８】変形例２を実施例１に適用した例を説明するための図である。
【図２９】変形例２を実施例２に適用した例を説明するための図である。
【発明を実施するための形態】
【０００９】
本発明の実施の形態に係る冷凍装置及び冷凍庫を、実施例１の冷凍装置５１及び実施例２の冷凍装置１５１などにより、図１〜図２９を参照して説明する。
【００１０】
（実施例１）
まず、実施例１の冷凍装置５１の構成を、その冷媒回路５２を示す図１と、制御系を示す図２と、を参照して説明する。
まず、冷凍装置５１の概略構成を説明する。
冷凍装置５１はヒートポンプ式の冷媒回路５２を有する。
冷媒回路５２は、圧縮機１，四方弁２，ファンＦ１を含む庫外熱交換器３，受液器４，ファンＦ２Ａを含む庫内熱交換器５Ａ，ファンＦ２Ｂを含む庫内熱交換器５Ｂ，アキュムレータ６，複数の電磁弁を含む電磁弁群１１Ｇ（図２参照：詳細は後述），膨張弁２１，２２Ａ，２２Ｂ，及び複数の逆止弁を含む逆止弁群３１Ｇ（図示せず：詳細は後述）を有して構成されている。
ファンＦ１，Ｆ２Ａ，Ｆ２Ｂは、モータで駆動する送風機であり、これらを纏めてファン群ＦＧ（図２参照）とも称する。
【００１１】
電磁弁群１１Ｇは、電磁弁１１，１２，１３，１４Ａ，１４Ｂ，１５Ａ，１５Ｂ，１６Ａ，１６Ｂを纏めた総称である。
逆止弁群３１Ｇは、逆止弁３１ａ，３１ｂ，３２Ａ，３２Ｂ，３３，３４を纏めた総称である。
【００１２】
図２に示されるように、冷凍装置５１は、制御部４１を備える。制御部４１には、使用者からの運転に関する指示が入力部４２を介して伝達される。制御部４１は、伝達された指示などに基づき、冷媒回路５２における、圧縮機１，四方弁２，ファン群ＦＧ，及び電磁弁群１１Ｇの動作を制御する。
【００１３】
庫外熱交換器３、並びに、庫内熱交換器５Ａ及び庫内熱交換器５Ｂは、いわゆるフィンアンドチューブ式の構造を有する。
図１に示されるように、庫外熱交換器３は、第１庫外熱交換器３Ａ及び第２庫外熱交換器３Ｂと、を有する。
第１庫外熱交換器３Ａと第２庫外熱交換器３Ｂとは、並列回路を有する並列回路ＬＰ１を介して直列に接続されている。
第１庫外熱交換器３Ａは、ポート３Ａａとポート３Ａｂとを繋ぐ冷媒配管経路３ＬＡ（図３及び図６参照）を有している。
第２庫外熱交換器３Ｂは、ポート３Ｂａとポート３Ｂｂとを繋ぐ冷媒配管経路３ＬＢ（図３及び図６参照）を有している。この庫外熱交換器３の構造の詳細は後述する。
【００１４】
次に、冷媒回路５２について詳述する。
図１を理解容易とするため、冷媒回路５２を、圧縮機１，四方弁２，及びアキュムレータ６を含む源流ブロックＭ１と、庫外熱交換器３と並列回路ＬＰ１とを含む庫外熱交換ブロックＭ２と、受液器４と庫内熱交換器５Ａ及び庫内熱交換器５Ｂとを含む庫内熱交換ブロックＭ３と、の三つのブロックに区分けして説明する。
【００１５】
図１の右下において、圧縮機１と四方弁２のポート２ａとは、配管経路Ｌ１で接続されている。
四方弁２のポート２ｂと庫外熱交換器３における第２庫外熱交換器３Ｂのポート３Ｂａとは、配管経路Ｌ２で接続されている。
第２庫外熱交換器３Ｂのポート３Ｂｂと第１庫外熱交換器３Ａのポート３Ａｂとは、上述のように並列回路ＬＰ１を介して接続されている。
【００１６】
並列回路ＬＰ１は、その一端側とポート３Ｂｂとが配管経路Ｌ３で接続され、他端側とポート３Ａｂとが配管経路Ｌ５で接続されている。配管経路Ｌ５には、電磁弁１１が配設されている。
並列回路ＬＰ１は、配管経路Ｌ４ａ及び配管経路Ｌ４ｂを並列に有する。
配管経路Ｌ４ａには、膨張弁２１と、膨張弁２１に対して第１庫外熱交換器３Ａ側に直列接続され第１庫外熱交換器３Ａから第２庫外熱交換器３Ｂへ向かう流れのみを許容する逆止弁３１ａと、が配設されている。
配管経路Ｌ４ｂには、第２庫外熱交換器３Ｂから第１庫外熱交換器３Ａへ向かう流れのみを許容する逆止弁３１ｂが配設されている。
【００１７】
配管経路Ｌ５における電磁弁１１とポート３Ａｂとの間に分岐部Ｄ１が設けられている。
分岐部Ｄ１には、配管経路Ｌ６の一端側が接続されている。配管経路Ｌ６の他端側は、庫内熱交換ブロックＭ３のブロックポートＭ３ａを通して分岐部Ｄ２に接続されている。配管経路Ｌ６には、電磁弁１２が配設されている。
【００１８】
分岐部Ｄ２と庫内熱交換器５Ａのポート５Ａａとは、配管経路Ｌ７Ａで接続されている。配管経路Ｌ７Ａには、分岐部Ｄ２側から電磁弁１４Ａ，膨張弁２２Ａが直列に配設されている。
分岐部Ｄ２と庫内熱交換器５Ｂのポート５Ｂａとは、配管経路Ｌ７Ｂで接続されている。配管経路Ｌ７Ｂには、分岐部Ｄ２側から電磁弁１４Ｂ，膨張弁２２Ｂが直列に配設されている。
【００１９】
庫内熱交換器５Ａのポート５Ａｂには、配管経路Ｌ８Ａの一端側が接続されている。配管経路Ｌ８Ａの他端側には、分岐部Ｄ３が設けられている。配管経路Ｌ８Ａには、電磁弁１５Ａが配設されている。
庫内熱交換器５Ｂのポート５Ｂｂには、配管経路Ｌ８Ｂの一端側が接続されている。配管経路Ｌ８Ｂの他方側は、分岐部Ｄ３に接続されている。配管経路Ｌ８Ｂには、電磁弁１５Ｂが配設されている。
【００２０】
分岐部Ｄ３と四方弁２のポート２ｃとは、庫内熱交換ブロックＭ３のブロックポートＭ３ｃを通して配管経路Ｌ９で接続されている。
【００２１】
図１の左上部において、分岐部Ｄ２には、電磁弁１３が配設された配管経路Ｌ１０の一端側が接続されている。配管経路Ｌ１０の他端側には、分岐部Ｄ４が設けられている。
分岐部Ｄ４と、第１庫外熱交換器３Ａのポート３Ａａとは、庫内熱交換ブロックＭ３のブロックポートＭ３ｂを通して配管経路Ｌ１１で接続されている。
配管経路Ｌ１１には、分岐部Ｄ４側から、受液器４と分岐部Ｄ５が配設されている。分岐部Ｄ５には、配管経路Ｌ１１から分岐する配管経路Ｌ１２の一端側が接続されている。
配管経路Ｌ１２の他端側には分岐部Ｄ５５が設けられている。分岐部Ｄ５５には、配管経路Ｌ１２Ａ及び配管経路Ｌ１２Ｂの一端側が分岐接続されている。
【００２２】
配管経路Ｌ７Ａにおいて、膨張弁２２Ａと庫内熱交換器５Ａのポート５Ａａとの間には分岐部Ｄ６Ａが設けられている。
分岐部Ｄ６Ａと分岐部Ｄ５５とは、配管経路Ｌ１２Ａで接続されている。配管経路Ｌ１２Ａには電磁弁１６Ａが配設されている。
配管経路Ｌ７Ｂにおいて、膨張弁２２Ｂと庫内熱交換器５Ｂのポート５Ｂａとの間には分岐部Ｄ６Ｂが設けられている。
分岐部Ｄ６Ｂと分岐部Ｄ５５とは、配管経路Ｌ１２Ｂで接続されている。配管経路Ｌ１２Ｂには電磁弁１６Ｂが配設されている。
【００２３】
配管経路Ｌ１１における分岐部Ｄ５と第１庫外熱交換器３Ａのポート３Ａａとの間には、分岐部Ｄ７が設けられている。分岐部Ｄ７には、配管経路Ｌ１３の一端側が接続されている。
配管経路Ｌ１３の他端側には、分岐部Ｄ７７が設けられている。
分岐部Ｄ７７には、配管経路Ｌ１３Ａと配管経路Ｌ１３Ｂとが分岐接続されている。
配管経路Ｌ１３Ａは、分岐部Ｄ７７と、配管経路Ｌ８Ａにおける電磁弁１５Ａと庫内熱交換器５Ａのポート５Ａｂと、の間を接続している。
配管経路Ｌ１３Ｂは、分岐部Ｄ７７と、配管経路Ｌ８Ｂにおける電磁弁１５Ｂと庫内熱交換器５Ｂのポート５Ｂｂと、の間を接続している。
配管経路Ｌ１３Ａ及び配管経路Ｌ１３Ｂには、分岐部Ｄ７７に向かう流れのみを許容する逆止弁３２Ａ及び逆止弁３２Ｂがそれぞれ配設されている。
【００２４】
配管経路Ｌ１１における分岐部Ｄ５と分岐部Ｄ７との間には、分岐部Ｄ５に向かう流れのみを許容する逆止弁３３が配設されている。
【００２５】
図１の左上に示される分岐部Ｄ４と、四方弁２のポート２ｄと、の間は、庫内熱交換ブロックＭ３のブロックポートＭ３ｄを通して配管経路Ｌ１４で接続されている。配管経路Ｌ１４には、分岐部Ｄ４に向かう流れのみを許容する逆止弁３４が配設されている。
【００２６】
配管経路Ｌ９には（分岐部Ｄ３と四方弁２のポート２ｃとの間には）、分岐部Ｄ８が設けられている。
分岐部Ｄ８とアキュムレータ６の入口との間は、配管経路Ｌ１５で接続されている。また、アキュムレータ６の出口と圧縮機１の吸い込み口との間は、配管経路Ｌ１６で接続されている。
【００２７】
冷媒回路５２において、庫内熱交換器５Ａを含む分岐部Ｄ２及び分岐部Ｄ５５と、分岐部Ｄ３及び分岐部Ｄ７７と、の間の配管経路を、庫内熱交換器ユニット５ＡＵと称する。
庫内熱交換器５Ｂを含む分岐部Ｄ２及び分岐部Ｄ５５と、分岐部Ｄ３及び分岐部Ｄ７７と、の間の配管経路を、庫内熱交換器ユニット５ＢＵと称する。
庫内熱交換器ユニット５ＡＵと庫内熱交換器ユニット５ＢＵとは、実質同じ配管経路である。すなわち、冷媒回路５２において、二つの庫内熱交換器ユニットが並列に接続されている。
【００２８】
上述の各配管の一部は、流れる冷媒の相に応じて次に示される管として分類される。この分類は、後述する実施例２の冷媒回路１５２についても共通である。
また、以下の記載で低圧とは、圧縮機１により昇圧された冷媒の圧力（高圧とする）に対し相対的に低い圧力を意味する。
配管経路Ｌ１，Ｌ１４は、圧縮機１により昇圧された高圧のガス冷媒が流れる高圧ガス管である。
配管経路Ｌ２は、高圧又は低圧のガス冷媒が流れるガス管である。
配管経路Ｌ６，Ｌ１１は、高圧の液冷媒が流れる高圧液管である。
配管経路Ｌ１４は、高圧のガス冷媒が流れる高圧ガス管である。
配管経路Ｌ１５，Ｌ１６は、低圧のガス冷媒が流れる低圧ガス管である。
【００２９】
次に、庫外熱交換器３の詳細を、図３〜図６を参照して説明する。
図３は、庫外熱交換器３の断面に対応する模式的構成図である。図４は、庫外熱交換器３を左前斜め上方から見た外観斜視図であり、図５は、右後斜め上方から見た外観斜視図である。図６は、庫外熱交換器３の内部パス（冷媒配管経路３ＬＡ，３ＬＢ）を説明するための図である。
図３〜図６に示される上下左右前後の各方向は、理解容易のために便宜的に設定した方向であり、庫外熱交換器３の設置姿勢などを限定するものではない。
【００３０】
庫外熱交換器３は、上述のようにフィンアンドチューブ式で構成されている。
図３に示されるように、庫外熱交換器３の内部に配管されたチューブとしての管３ｃは、断面において前後方向に４列、上下方向に各列１８段となっている。すなわち、Ｍ列Ｎ段のフィンアンドチューブ式とすると、４列１８段である。
各列及び各段の管３ｃは、図３の太線で示されるように連結すべく、左右両端部で折り返して配設されている（図４及び図５参照）。
【００３１】
前後４列の内、最前方側の１列が、第１庫外熱交換器３Ａに含まれ、後方側の３列が第２庫外熱交換器３Ｂに含まれる。
すなわち、第１庫外熱交換器３Ａは、１列１８段であり、第２庫外熱交換器３Ｂは、３列１８段である。
ここで、直列に接続された１列又は複数の列を、配管列群Ｇと称する。ここでは１列の場合も便宜的に「配管列群」と称することとする。
この呼称により、第１庫外熱交換器３Ａは、Ｍ＝１なる１列の配管列群ＧＡを有し、第２庫外熱交換器３Ｂは、Ｍ＝３なる３列分の配管列群ＧＢを有する。
【００３２】
第１庫外熱交換器３Ａでは、上下に隣接する６段分の管３ｃが一つの冷媒配管経路とされて、上方側から順に三つのパスであるパスＰ１〜パスＰ３を構成している。
第２庫外熱交換器３Ｂでは、各列において隣接する３段分の管３ｃが、対向する３列で直列接続されてなる一つの冷媒配管経路とされ、上方側から六つのパスであるパスＰ４〜Ｐ９を構成している。
従って、第１庫外熱交換器３Ａにおいては、パスＰ１〜パスＰ３それぞれに対応した配管列群ＧＡ１〜配管列群ＧＡ３が設けられている。また、第２庫外熱交換器３Ｂにおいては、パスＰ４〜Ｐ９それぞれに対応した配管列群ＧＢ４〜ＧＢ９が設けられている。
第１庫外熱交換器３Ａのパス数は、第２庫外熱交換器３Ｂのパス数以下とされている。
【００３３】
第１庫外熱交換器３Ａの内部において、ポート３Ａａは、三つに分岐してパスＰ１〜パスＰ３それぞれの一端側に接続されている。ポート３Ａｂは、三つに分岐してパスＰ１〜パスＰ３それぞれの他端側に接続されている。
すなわち、図６に示されるように、ポート３Ａａとポート３Ａｂとの間に、パスＰ１〜パスＰ３が並列に接続されている。
また、パスＰ１〜パスＰ３は、図３に示されるように、送風方向（前後方向）に互いに重なることなく、吸い込み側の一面（以下、吸い込み面とも称する）において実質的に独立した領域となるように配置されている。
【００３４】
第２庫外熱交換器３Ｂにおいて、ポート３Ｂａは、六つに分岐してそれぞれパスＰ４〜Ｐ９の一端側に接続されている。ポート３Ｂｂは、六つに分岐してそれぞれパスＰ４〜Ｐ９の他端側に接続されている。
すなわち、図６に示されるように、ポート３Ｂａとポート３Ｂｂとの間に、パスＰ４〜Ｐ９が並列に接続されている。
パスＰ４〜Ｐ９は、図３に示されるように、送風方向（前後方向）に互いに概ね重なることなく、吸い込み面において実質的に独立した領域となるように配置されている。
【００３５】
第１庫外熱交換器３Ａと第２庫外熱交換器３Ｂとは前後方向に並設されている。詳しくは、第１庫外熱交換器３Ａが、ファンＦ１の駆動により一定方向に流れる通風外気ＷＤの風上側（前側）となるように配置されている。すなわち、第１庫外熱交換器３Ａは上流側熱交換器であり、第２庫外熱交換器３Ｂは下流側熱交換器である。
【００３６】
冷凍装置５１は、種々の設備や装置等に適用することができる。例えば、冷凍庫、及び冷凍庫を備えて移動可能な冷凍車に用いられる。図７は、冷凍庫ＣＴを備えた冷凍車Ｃへの使用搭載例を示す側面図であり、一部を切断面としている。
【００３７】
冷凍車Ｃは、冷凍庫ＣＴ及び冷凍装置５１、並びに、走行するための動力源及び走行機構を有する車両本体部ＣＨを備えている。冷凍庫ＣＴは、独立した二つの断熱保温庫として庫室ＣＡ及び庫室ＣＢを有している。
庫内熱交換器５Ａは、庫室ＣＡの内部空間ＣＶＡ内に配置され、内部空間ＣＶＡの空気と熱交換を行う。
庫内熱交換器５Ｂは、庫室ＣＢの内部空間ＣＶＢ内に配置され、内部空間ＣＶＢの空気と熱交換を行う。
冷凍庫ＣＴの外部（例えば運転席の上方）には、庫外熱交換器３が配置され、外気と熱交換を行う。
冷凍装置５１の他の部材は冷凍庫ＣＴの外側に設置される。設置位置は限定されない。
例えば、圧縮機１やアキュムレータ６などは、収容体Ｓに納められて車体の下方に設置される。制御部４１及び入力部４２は、運転席まわりに設置される。特に入力部４２は、運転者が操作し易い場所に配設される。
圧縮機１は、例えば、電源としてのバッテリーと、インバータ回路と、によって駆動する電動圧縮機とされる。また、圧縮機１はこの電動圧縮機に限定されず、冷凍車Ｃの走行動力源（エンジンやモータ等）を駆動源とするタイプであってもよい。
【００３８】
次に、冷凍装置５１の動作について、冷凍車Ｃに搭載された場合を例として図８〜図１６を主に参照して説明する。
【００３９】
冷凍車Ｃは、冷凍装置５１の動作によって、二つの庫室ＣＡ（第１室とする）と庫室ＣＢ（第２室とする）とを、それぞれ独立に、冷却，加温，除霜，停止（冷却も加温もしない）の四つの運転状態で維持できるようになっている。除霜は、庫内熱交換器５Ａ,５Ｂの除霜である。
すなわち、冷凍装置５１は、制御部４１の制御によって、庫内熱交換器５Ａ，５Ｂそれぞれについて、冷却，加温，除霜，及び停止の四つの動作モードを選択的に実行できる。従って、各動作モードの組み合わせとして、二つの庫室ＣＡ，ＣＢに対し全停止を含め１６種の動作モードを実行可能とされる。
【００４０】
図８は、全停止を含めた１６種の動作モード（モード番号１〜１６）の制御状態を示した表である。制御部４１は、この表に示されたように、四方弁２，電磁弁群１１Ｇ，及びファン群ＦＧ（ファンＦ１，Ｆ２Ａ，Ｆ２Ｂ）を制御して各動作モードを選択的に実行する。
すなわち、四方弁２及び電磁弁群１１Ｇは、制御部４１の制御の下、冷媒回路５２において冷媒が流れる流路を、動作モードに応じて選択的に切り替える流路切り替え部ＲＫ１とされている。
【００４１】
１６種の動作モードは、例えば次のようにも分類される。
二室冷却運転（モード番号１）、二室加温運転（モード番号２）、冷却・加温同時運転（モード番号３，４）、一室冷却運転（モード番号５，６）、一室加温運転（モード番号７，８）、除霜運転（モード番号９〜１５）、全停止（モード番号１６）。
【００４２】
四方弁２のモードについて、制御部４１は、図９に示されるモード＃Ａとモード＃Ｂとに切り替える。
この切り替えにおいて、制御部４１は、庫室ＣＡ及び庫室ＣＢの少なくとも一方を加温又は除霜の動作モードとする場合、モード＃Ｂとし、それ以外の場合にモード＃Ａとする。
全停止（動作モード１６）での四方弁２のモードは限定されない。すなわち、停止直前の動作モードでのモードのままで支障はない。
【００４３】
電磁弁群１１Ｇのパターンについて、制御部４１は、各弁の開状態、閉状態の組み合わせをＡ〜Ｈの８種のパターンで制御する。
詳しくは、図１０に示されるように、庫室ＣＡ及び庫室ＣＢそれぞれの四つの動作モードの組み合わせとなる合計１６種の動作モードそれぞれにＡ〜Ｈパターンのいずれかを対応づけて制御する。
全停止（動作モード１６）でのパターンは限定されない。すなわち、停止直前の動作モードでのパターンのままで支障はない。
【００４４】
ファン群ＦＧについて、制御部４１は、ファンＦ１を、全停止（動作モード１６）以外のすべての動作モード１〜１５でＯＮとし、ファンＦ２Ａ，Ｆ２Ｂは、それぞれが配設された庫室ＣＡ，ＣＢが冷却又は加温のときにＯＮとし、除霜又は停止のときにＯＦＦとする。
【００４５】
次に、除霜を含まない動作モード（モード番号１〜８）について、図１１〜図１６を参照して説明する。図１１〜図１６において、動作するファンにはハッチングを付与してある。また、ファンによって熱交換器に吸い込まれる空気の温度よりも吹き出される空気の温度の方が低い場合、吹き出される空気を白ヌキ矢印で示し、温度が高い場合、黒矢印で示してある。また、冷媒の流れる経路を太線で示してある。
【００４６】
〔１−１〕二室冷却運転
＜モード番号１：図１１参照＞
庫室ＣＡ及び庫室ＣＢを共に冷却するモードである。
圧縮機１の吐出口から配管経路Ｌ１に吐出した高温高圧のガス冷媒は、モード＃Ａとされた四方弁２のポート２ａからポート２ｂを通って配管経路Ｌ２に流入する。モード＃Ａではポート２ｃとポート２ｄとも接続されるが、これらのポートは機能しない。
配管経路Ｌ２に流入した冷媒は、庫外熱交換器３における第２庫外熱交換器３Ｂに対しポート３Ｂａから流入し、ポート３Ｂｂから流出する。
冷媒は、ポート３Ｂｂから流出し、逆止弁３１ｂ及び開状態の電磁弁１１を通り、第１庫外熱交換器３Ａに対しポート３Ａｂから流入する。
ポート３Ａｂから流入した冷媒は、第１庫外熱交換器３Ａのポート３Ａａから流出して配管経路Ｌ１１に流入する。
【００４７】
庫外熱交換器３において、ファンＦ１は運転状態にあり、外気は第１庫外熱交換器３Ａから第２庫外熱交換器３Ｂへと流動している。
運転状態にあるファンにはハッチングを付し、停止状態のファンは白ヌキとして両状態を区別できるようにしてある。以下の説明も同様である。
外気流動状態で、庫外熱交換器３では、第２庫外熱交換器３Ｂと第１庫外熱交換器３Ａとが一体的に凝縮器として機能する。すなわち、圧縮機１から吐出したガス冷媒は、外気に対し放熱して凝縮し、高圧の液冷媒としてポート３Ａａから配管経路Ｌ１１に流入する。
詳しくは、冷媒は、第２庫外熱交換器３Ｂの入口となるポート３Ｂａにおいて、全て気相のガス冷媒である。このガス冷媒は、第２庫外熱交換器３Ｂ内を流れるに伴い、外気と熱交換されて一部が凝縮（液化）し、ガス冷媒に対する液冷媒の比率が増加する。
これにより、第２庫外熱交換器３Ｂの出口となるポート３Ｂｂにおいて、冷媒の大半が液冷媒の気液混合冷媒となる。ここで、液冷媒の比率は、運転条件により異なる。
【００４８】
次に、ポート３Ｂｂから流出した気液混合冷媒は、ポート３Ａｂから第１庫外熱交換器３Ａに流入する。第１庫外熱交換器３Ａで、引き続き冷媒と外気との熱交換が行われ、出口となるポート３Ａａにおいて、冷媒は、高圧でほぼ全てが液相となっている。
以下の説明においては、熱交換器にて外気又は内気が冷媒から熱を奪って放出される場合に、流れを黒矢印で示してある。逆に、冷媒に熱を奪われて放出される場合に、流れを白ヌキ矢印で示してある。
【００４９】
冷媒の、庫外熱交換器３での気相から液相への相変化で、冷媒の体積は減少する。
庫外熱交換器３では、体積減少により液相の比率が高くなった冷媒が流れる第１庫外熱交換器３Ａのパス数Ｎａ（この例でＮａ＝３）を、気相の比率が高い冷媒が流れる第２庫外熱交換器３Ｂのパス数Ｎｂ（この例でＮｂ＝６）よりも少なくしている。これにより、第１庫外熱交換器３Ａ内を流れる冷媒は、第２庫外熱交換器３Ｂを液冷媒として流れるときよりも、流速が大きくなり、冷媒の過冷却度も大きくなる。
【００５０】
ポート３Ａａを出て配管経路Ｌ１１に流入した高圧の液冷媒は、逆止弁３３を通り受液器４に入る。
受液器４では、運転環境に応じた余剰量の液冷媒が滞留する。
例えば、庫室ＣＡ内及び庫室ＣＢ内の熱負荷が小さい場合は、循環する冷媒の量は少なくて済み、受液器４内に余剰分の液冷媒が溜まる。一方、庫室ＣＡ内及び庫室ＣＢ内の熱負荷が大きい場合は、循環する冷媒の量が多く必要となるので、受液器４内に溜まる液冷媒の量は少なくなる。従って、冷媒回路５２に常に最適量の冷媒が循環し、冷却能力が高度に安定維持される。
【００５１】
受液器４を出た液冷媒は、開状態の電磁弁１３を経て分岐部Ｄ２に達し、庫内熱交換器ユニット５ＡＵ側の配管経路Ｌ７Ａと庫内熱交換器ユニット５ＢＵ側の配管経路Ｌ７Ｂとに分岐流入する。
まず、配管経路Ｌ７Ａに流入した冷媒は、電磁弁１４Ａを経由して膨張弁２２Ａに入る。冷媒は膨張弁２２Ａにおいて減圧膨張し、低温の気液混合冷媒となって庫内熱交換器５Ａに対しポート５Ａａから流入する。
庫内熱交換器５ＡのファンＦ２Ａは動作状態にある。そのため、庫内熱交換器５Ａ内において、冷媒と、通風する庫内空気（以下通風内気と称する）と、の間で熱交換が行われる。
この熱交換で冷媒は熱を奪ってガス化し、通風内気は降温して庫室ＣＡ内に送出される（白ヌキ矢印）。これにより庫室ＣＡは冷却される。
一方、配管経路Ｌ７Ｂに流入した冷媒は、電磁弁１４Ｂを経由して膨張弁２２Ｂに入る。冷媒は膨張弁２２Ｂにおいて減圧膨張し、低温の気液混合冷媒となって庫内熱交換器５Ｂに対しポート５Ｂａから流入する。
庫内熱交換器５ＢのファンＦ２Ｂは動作状態にある。そのため、庫内熱交換器５Ｂ内において、冷媒と、通風内気と、の間で熱交換が行われる。
この熱交換で冷媒は熱を奪ってガス化し、通風内気は降温して庫室ＣＢ内に送出される（白ヌキ矢印）。これにより庫室ＣＢは冷却される。
【００５２】
庫内熱交換器５Ａ及び５Ｂにおいてガス化した冷媒は、それぞれポート５Ａｂ及び５Ｂｂから電磁弁１５Ａ及び１５Ｂを経て分岐部Ｄ３で合流し、配管経路Ｌ１５及び配管経路Ｌ１６によりアキュムレータ６を経由して圧縮機１の吸い込み口に戻る。
【００５３】
〔１−２〕二室加温運転
＜モード番号２：図１２参照＞
庫室ＣＡ及び庫室ＣＢを共に加温するモードである。
圧縮機１の吐出口から配管経路Ｌ１に吐出した高温高圧のガス冷媒は、モード＃Ｂとされた四方弁２のポート２ａからポート２ｄを通って配管経路Ｌ１４に流入する。
配管経路Ｌ１４に流入した冷媒は、逆止弁３４及び分岐部Ｄ４を経て、電磁弁１３が閉状態であることから受液器４に入る。直前の動作モードによって受液器４に液冷媒が蓄留している場合も、ガス冷媒に押し出され受液器４内は直ちにガス冷媒のみとなる。
受液器４を通過したガス冷媒は、分岐部Ｄ５及び配管経路Ｌ１２を経て、分岐部Ｄ５５において配管経路Ｌ１２Ａと配管経路Ｌ１２Ｂとに分岐流入する。
【００５４】
まず、配管経路Ｌ１２Ａに流入したガス冷媒は、電磁弁１６Ａを経て庫内熱交換器５Ａに対しポート５Ａａから流入する。
庫内熱交換器５ＡのファンＦ２Ａは動作状態にある。そのため、庫内熱交換器５Ａ内で冷媒と通風内気との間で熱交換が行われ、冷媒は熱を奪われ大部分が凝縮液化して概ね液冷媒となり、通風内気は昇温して庫室ＣＡ内に送出される（黒矢印）。これにより庫室ＣＡは加温される。
一方、配管経路Ｌ１２Ｂに流入したガス冷媒は、電磁弁１６Ｂを経て庫内熱交換器５Ｂに対しポート５Ｂａから流入する。
庫内熱交換器５ＢのファンＦ２Ｂは動作状態にある。そのため、庫内熱交換器５Ｂ内で冷媒と通風内気との間で熱交換が行われ、冷媒は熱を奪われ大部分が凝縮液化して概ね液冷媒となり、通風内気は昇温して庫室ＣＢ内に送出される（黒矢印）。これにより庫室ＣＢは加温される。
【００５５】
庫内熱交換器５Ａ及び５Ｂから流出する冷媒は、高圧の概ね液化した冷媒であるが、庫室ＣＡ内及び庫室ＣＢ内の熱負荷等の運転環境に応じた量のガス冷媒が含まれている。
この概ね液化した高圧の冷媒は、ポート５Ａｂ及び５Ｂｂから配管経路Ｌ１３Ａ及びＬ１３Ｂに流入し、逆止弁３２Ａ及び３２Ｂを経て分岐部Ｄ７７で合流する。そして、分岐部Ｄ７７での合流後、配管経路Ｌ１３及び分岐部Ｄ７を経て配管経路Ｌ１１を通過し、第１庫外熱交換器３Ａに対しポート３Ａａから流入する。
【００５６】
庫外熱交換器３のファンＦ１は動作状態にある。そのため、第１庫外熱交換器３Ａ内で液冷媒と通風外気との熱交換が行われ、液冷媒は降温して過冷却度が増加する。すなわち、第１庫外熱交換器３Ａは、液冷媒に対し過冷却熱交換器として機能する。
第１庫外熱交換器３Ａに、液冷媒と共に流入した未凝縮のガス冷媒も、通風外気との熱交換により冷却されて完全に液化する。
【００５７】
第１庫外熱交換器３Ａでの熱交換後、ポート３Ａｂから流出した液冷媒は、配管経路Ｌ５の電磁弁１１及び配管経路Ｌ４ａの逆止弁３１ａを経て膨張弁２１に入る。
液冷媒は、膨張弁２１において、減圧膨張して低温の気液混合冷媒となる。そして、配管経路Ｌ３を通り第２庫外熱交換器３Ｂに対しポート３Ｂｂから流入する。
第２庫外熱交換器３Ｂにおいて、冷媒は、通風外気との熱交換で低温の液冷媒が外気から熱を奪ってガス化し、完全なガス冷媒となる。このとき第２庫外熱交換器３Ｂは蒸発器として機能している。
このガス冷媒は、ポート３Ｂａから配管経路Ｌ２に流出し、アキュムレータ６を経て圧縮機１の吸い込み口に戻る。
【００５８】
〔１−３〕冷却・加温同時運転
モード番号３及びモード番号４は、二つの庫室の一方を加温し他方を冷却するという加温運転と冷却運転とを同時に実行する動作モードである。
【００５９】
＜モード番号３（庫室ＣＡ加温、庫室ＣＢ冷却）：図１３参照＞
この動作モードでは、庫室ＣＡに対応する庫内熱交換器ユニット５ＡＵを加温運転し、庫室ＣＢに対応する庫内熱交換器ユニット５ＢＵを冷却運転する。
圧縮機１から分岐部Ｄ５５に至る冷媒の流れは、モード番号２と同じである。
分岐部Ｄ５５以降について、このモード番号３では、電磁弁１６Ｂを閉状態としているため、冷媒（ガス冷媒）は分岐部Ｄ５５で分岐せず、配管経路Ｌ１２Ａにのみ流入する。
配管経路Ｌ１２Ａに流入したガス冷媒は、電磁弁１６Ａを経て庫内熱交換器５Ａに対しポート５Ａａから流入する。
【００６０】
庫内熱交換器５ＡのファンＦ２Ａは動作状態にある。そのため、庫内熱交換器５Ａ内で冷媒と通風内気との間で熱交換が行われる。
この熱交換で、冷媒は熱が奪われ大部分が凝縮液化して概ね液冷媒となり、通風内気は昇温して庫室ＣＡ内に送出される。これにより庫室ＣＡは加温される。
【００６１】
庫内熱交換器５Ａから流出する冷媒は、高圧の概ね液化した冷媒であるが、庫室ＣＡ内の熱負荷等の運転環境に応じた量のガス冷媒が含まれている。
この概ね液化した高圧の冷媒は、ポート５Ａｂから配管経路Ｌ１３Ａに流入し、逆止弁３２Ａを経て分岐部Ｄ７７及び配管経路Ｌ１３を通り、分岐部Ｄ７から配管経路Ｌ１１に入る。そして、庫外熱交換器３の第１庫外熱交換器３Ａに対しポート３Ａａから流入する。
【００６２】
庫外熱交換器３のファンＦ１は動作状態にある。そのため、第１庫外熱交換器３Ａ内で液冷媒と通風外気との熱交換が行われ、液冷媒は熱を奪われ降温して過冷却度が増加する。すなわち、第１庫外熱交換器３Ａは、液冷媒に対し過冷却熱交換器として機能する。
第１庫外熱交換器３Ａに、液冷媒と共に流入した未凝縮のガス冷媒も、通風外気との熱交換により熱を奪われ冷却されて完全に液化する。
【００６３】
第１庫外熱交換器３Ａでの熱交換後、液冷媒はポート３Ａｂを出て配管経路Ｌ６に流入し、電磁弁１２を経て分岐部Ｄ２に達する。
このモードでは、電磁弁１３，１４Ａが閉状態にあるため、液冷媒は、開状態とされた電磁弁１４Ｂが配設された配管経路Ｌ７Ｂに流入し膨張弁２２Ｂに入る。
液冷媒は、膨張弁２２Ｂにおいて、減圧膨張して低温の気液混合冷媒となり、庫内熱交換器５Ｂに対しポート５Ｂａから流入する。
庫内熱交換器５ＢのファンＦ２Ｂは動作状態にある。そのため、庫内熱交換器５Ｂ内で気液混合冷媒は、通風内気から熱交換により熱を奪って蒸発し、完全なガス冷媒となる。庫内熱交換器５Ｂは蒸発器として機能する。
一方、通風内気は降温して庫室ＣＢ内に送出される。これにより庫室ＣＢは冷却される。
【００６４】
ガス化した冷媒は、ポート５Ｂｂから配管経路Ｌ８Ｂに流入し、電磁弁１５Ｂ及びアキュムレータ６を経て圧縮機１の吸い込み口に戻る。
【００６５】
＜モード番号４（庫室ＣＡ冷却、庫室ＣＢ  加温）：図１４参照＞
モード番号４は、モード番号３に対し、加温する庫内熱交換器ユニットと冷却する庫内熱交換器ユニットとを入れ替えたものである。
すなわち、電磁弁１６Ａ及び電磁弁１６Ｂの開閉状態を逆にし、電磁弁１６Ａを閉状態、電磁弁１６Ｂを開状態にして圧縮機１からの高圧のガス冷媒を、庫内熱交換器５Ｂに流入させる。
また、電磁弁１４Ａ及び電磁弁１４Ｂの開閉状態を逆にし、電磁弁１４Ａを開状態、電磁弁１４Ｂを閉状態にして、第１庫外熱交換器３Ａで冷却された液冷媒を、庫内熱交換器５Ａに流入させる。
これにより、庫室ＣＡは冷却され、庫室ＣＢは加温される。
【００６６】
この加温と冷却とを同時に実行する動作モード３及び動作モード４では、上述のように、第１庫外熱交換器３Ａにおいて液冷媒の過冷却度が増加する。そのため、その過冷却度が増加した分、冷却運転となる庫内熱交換器の冷却能力が増加する。
【００６７】
〔１−４〕一室冷却運転
＜モード番号５，６：図１５参照＞
一室冷却運転は、二つの庫室ＣＡ，ＣＢの内、一方を冷却し、他方を運転停止とする。ここで運転停止とは、継続的に運転を止めている場合と、二室冷却運転中に庫室内温度が設定温度に達したため一時的に止めている場合と、の両方を含む。
【００６８】
モード番号５は、庫室ＣＡを冷却し、庫室ＣＢを運転停止とする動作モードであり、その冷媒流路が図１５の太実線で示されている。
すなわち、モード番号５は、二室冷却運転のモード番号１（図１１参照）に対し、電磁弁１４Ｂを閉状態にして庫内熱交換器ユニット５ＢＵに冷媒が流入しないようにすると共にファンＦ２Ｂを停止させる動作モードである。
また、電磁弁１５Ｂは開状態とし、運転しない庫内熱交換器５Ｂ内の冷媒を、配管経路Ｌ８Ｂを経て配管経路Ｌ１５に向け解放する。電磁弁１５Ｂは、モード番号５の運転開始から所定時間経過して庫内熱交換器５Ｂ内の冷媒が解放されたら閉状態としてもよい。
モード番号１と共通する冷媒流路における冷媒の相状態や庫外熱交換器３及び庫内熱交換器５Ａでの熱交換作用等は、モード番号１の場合と同じである。
【００６９】
モード番号６は、庫室ＣＢを冷却し、庫室ＣＡを運転停止とする運転モードである。その冷媒流路は、分岐部Ｄ２と分岐部Ｄ３との間のみ異なり、その間は図１５の太破線で示される流路となる。
すなわち、モード番号６は、二室冷却運転のモード番号１（図１１参照）に対し、電磁弁１４Ａを閉状態にして庫内熱交換器ユニット５ＡＵに冷媒が流入しないようにすると共にファンＦ２Ａを停止させたものである（図１５のファンＦ２Ａ，Ｆ２Ｂはモード番号５での動作状態を示している。モード番号６では逆の動作状態となる）。
また、電磁弁１５Ａは開状態とし、運転しない庫内熱交換器５Ａ内の冷媒を、配管経路Ｌ８Ａを経て配管経路Ｌ１５に向け解放する。電磁弁１５Ａは、モード番号６の運転開始から所定時間経過して庫内熱交換器５Ａ内の冷媒が解放されたら閉状態としてもよい。
モード番号１と共通する冷媒流路における冷媒の相状態や庫外熱交換器３及び庫内熱交換器５Ｂでの熱交換作用等は、モード番号１の場合と同じである。
【００７０】
〔１−５〕一室加温運転
＜モード番号７，８：図１６参照＞
一室加温運転は、二つの庫室ＣＡ，ＣＢの内、一方を加温し、他方を運転停止とする。ここで運転停止とは、継続的に運転を止めている場合と、二室加温運転中に庫室内温度が設定温度に達したため一時的に止めている場合と、の両方を含む。
【００７１】
モード番号７は、庫室ＣＡを加温し、庫室ＣＢを運転停止とする動作モードであり、その冷媒流路が図１６の太実線で示されている。
すなわち、モード番号７は、二室加温運転のモード番号２（図１２参照）に対し、電磁弁１６Ｂを閉状態にして庫内熱交換器ユニット５ＢＵに冷媒が流入しないようにすると共にファンＦ２Ｂを停止させる動作モードである。
また、電磁弁１５Ｂは開状態とし、運転しない庫内熱交換器５Ｂ内の冷媒を、配管経路Ｌ８Ｂを経て配管経路Ｌ９に向け解放する。電磁弁１５Ｂは、モード番号７の運転開始から所定時間経過して庫内熱交換器５Ｂ内の冷媒が解放されたら閉状態としてもよい。
モード番号２と共通する冷媒流路における冷媒の相状態や庫外熱交換器３及び庫内熱交換器５Ａでの熱交換作用等は、モード番号２の場合と同じである。
【００７２】
モード番号８は、庫室ＣＢを加温し、庫室ＣＡを運転停止とする運転モードであり、その冷媒流路は、分岐部Ｄ５５と分岐部Ｄ７７との間のみ異なり、この間は図１６の太破線で示される流路となる。
すなわち、モード番号８は、二室加温運転のモード番号２（図１２参照）に対し、電磁弁１６Ａを閉状態にして庫内熱交換器ユニット５ＡＵに冷媒が流入しないようにすると共にファンＦ２Ａを停止させたものである（図１６のファンＦ２Ａ，Ｆ２Ｂはモード番号７での動作状態を示している。モード番号８では逆の動作状態となる）
また、電磁弁１５Ａは開状態とし、運転しない庫内熱交換器５Ａ内の冷媒を、配管経路Ｌ８Ａを経て配管経路Ｌ９に向け解放する。電磁弁１５Ａは、モード番号８の運転開始から所定時間経過して庫内熱交換器５Ａ内の冷媒が解放されたら閉状態としてもよい。
モード番号２と共通する冷媒流路における冷媒の相状態や庫外熱交換器３及び庫内熱交換器５Ｂでの熱交換作用等は、モード番号２の場合と同じである。
【００７３】
〔１−６〕除霜運転（庫内熱交換器５Ａ，５Ｂの除霜）
例えば庫室ＣＡを動作モード１，４，５のいずれかで長時間冷却すると、庫内熱交換器５Ａのフィンに、庫室ＣＡ内の空気に含まれる水分が凍結し霜として付着する場合がある。フィンに霜が付着すると熱交換が阻害されるので、庫内熱交換器５Ａのデフロスト運転を実行して除霜する。デフロスト運転は熱交換器５Ｂにも同様に実行される。
冷媒回路５２はヒートポンプ式であるから、除霜にはいわゆる逆サイクルのデフロストを行う。
具体的には、除霜する熱交換器を加温運転し、その熱交換器に該当するファンを停止させる。以下、運転モード毎の詳細を、図８などを参照して説明する。
【００７４】
＜モード番号９＞
庫内熱交換器５Ａの除霜のみを行うデフロスト運転の動作モードであり、庫内熱交換器５Ａのみを加温運転するモード番号７の動作モードにおいてファンＦ２Ａを停止（ＯＦＦ）させたものである。
＜モード番号１０＞
庫内熱交換器５Ｂの除霜のみを行うデフロスト運転の動作モードであり、庫内熱交換器５Ｂのみを加温運転するモード番号８の動作モードにおいてファンＦ２Ｂを停止（ＯＦＦ）させたものである。
＜モード番号１１＞
庫内熱交換器５Ａと庫内熱交換器５Ｂとの両方を除霜するデフロスト運転の動作モードであり、二室加温運転（モード番号２）の動作モードにおいて、ファンＦ２ＡとファンＦ２Ｂとの両方を停止（ＯＦＦ）させたものである。
【００７５】
また、冷凍装置５１は、冷凍庫ＣＴの二つの庫室ＣＡ，ＣＢの内の一方の庫室を除霜しながら他方の庫室を冷却又は加温することができる。
＜モード番号１２＞
庫内熱交換器５Ａを除霜し、庫内熱交換器５Ｂを加温運転する動作モードであり、二室加温運転（モード番号２）の動作モードにおいて、ファンＦ２Ａを停止（ＯＦＦ）させたものである。
＜モード番号１３＞
庫内熱交換器５Ｂを除霜し、庫内熱交換器５Ａを加温運転する動作モードであり、二室加温運転（モード番号２）の動作モードにおいて、ファンＦ２Ｂを停止（ＯＦＦ）させたものである。
＜モード番号１４＞
庫内熱交換器５Ａを除霜し、庫内熱交換器５Ｂを冷却運転する動作モードであり、冷却・加温同時運転におけるモード番号３の動作モードにおいて、ファンＦ２Ａを停止（ＯＦＦ）させたものである。
＜モード番号１５＞
庫内熱交換器５Ｂを除霜し、庫内熱交換器５Ａを冷却運転する動作モードであり、冷却・加温同時運転におけるモード番号４の動作モードにおいて、ファンＦ２Ｂを停止（ＯＦＦ）させたものである。
【００７６】
上述の冷凍装置５１は、圧縮機１から吐出した冷媒を庫内熱交換器５Ａに導入する第１の配管経路（配管経路Ｌ１，Ｌ１４，Ｌ１１，Ｌ１２，Ｌ１２Ａ）ＬＨ１と、庫内熱交換器５Ａで凝縮して液相化した冷媒を庫外熱交換器３に導入する第２の配管経路（配管経路Ｌ１３Ａ，Ｌ１１）ＬＨ２と、庫外熱交換器３で過冷却された液相の冷媒を第庫内熱交換器５Ｂに導入する第３の配管経路（配管経路Ｌ６，Ｌ７Ｂ）ＬＨ３と、を含む第１の冷媒流路Ｒ１と（図１３参照）、
圧縮機１から吐出した冷媒を庫内熱交換器５Ａ及び庫内熱交換器５Ｂに対し分岐して導入する第４の配管経路（配管経路Ｌ１，Ｌ１４，Ｌ１１，Ｌ１２，Ｌ１２Ａ，Ｌ１２Ｂ）ＬＨ４と、庫内熱交換器５Ａ，５Ｂで液相化した冷媒を庫外熱交換器３に導入する第５の配管経路（配管経路Ｌ１３Ａ，Ｌ１３Ｂ，Ｌ１３，Ｌ１１）ＬＨ５と、を含む第２の冷媒流路Ｒ２と（図１２参照）、
圧縮機１から吐出したガス相の冷媒を庫外熱交換器３に導入する第６の配管経路（配管経路Ｌ１，Ｌ２）ＬＨ６と、庫外熱交換器３で凝縮して液相化した冷媒を庫内熱交換器５Ａ及び庫内熱交換器５Ｂに対し分岐して導入する第７の配管経路（配管経路Ｌ１１，Ｌ１０，Ｌ７Ａ，Ｌ７Ｂ）ＬＨ７と、を含む第３の冷媒流路Ｒ３と（図１１参照）、
を有する冷媒回路５２と、
冷媒を流す流路として、第１の冷媒流路Ｒ１と、第２の冷媒流路Ｒ２と、第３の冷媒流路Ｒ３と、を選択的に切り替える流路切り替え部ＲＫ１（四方弁２，電磁弁群１１Ｇ）（図８参照）と、を備えている。
【００７７】
また、第２の冷媒流路Ｒ２における第４の配管経路の一部と第３の冷媒流路Ｒ３における第７の配管経路の一部とは、共通の部分である共通配管ＬＫとされている。具体的には、配管経路Ｌ１１における分岐部Ｄ４と分岐部Ｄ５との間である。そして、この共通配管ＬＫに、受液器４が配設されている。
【００７８】
（実施例２）
実施例２の冷凍装置１５１の構成を、その冷媒回路１５２を示す図１７と、制御系を示す図１８と、を参照して説明する。
冷媒回路１５２は、構成ブロックとして、源流ブロックＭ１１，庫外熱交換ブロックＭ１２，及び庫内熱交換ブロックＭ１３を有する。各ブロックと実施例１における冷媒回路５２の各ブロックとの比較は以下のとおりである。
【００７９】
〔源流ブロックＭ１との比較〕
冷媒回路１５２の源流ブロックＭ１１は、冷媒回路５２の源流ブロックＭ１と同じである。
【００８０】
〔庫外熱交換ブロックＭ２との比較〕
冷媒回路１５２の庫外熱交換ブロックＭ１２は、冷媒回路５２の庫外熱交換ブロックＭ２に対し、電磁弁１１と並列に、分岐部Ｄ１に向かう流れのみを許容する逆止弁３９が追加配設されている点のみが異なる。
逆止弁３９の追加配設により、電磁弁１１が開状態のときの流量特性が向上する。
【００８１】
〔庫内熱交換ブロックＭ３との比較〕
冷媒回路１５２の庫内熱交換ブロックＭ１３は、庫内熱交換ブロックＭ３に対し、以下の点で異なる。
【００８２】
分岐部Ｄ２と庫内熱交換器５Ａのポート５Ａａとを接続する配管経路Ｌ７Ａにおいて、電磁弁１４Ａと膨張弁２２Ａとの間に、膨張弁２２Ａに向かう流れのみを許容する逆止弁３５Ａが追加配設されている。
分岐部Ｄ２と庫内熱交換器５Ｂのポート５Ｂａとを接続する配管経路Ｌ７Ｂにおいて、電磁弁１４Ｂと膨張弁２２Ｂとの間に、膨張弁２２Ｂに向かう流れのみを許容する逆止弁３５Ｂが追加配設されている。
この逆止弁３５Ａ，３５Ｂの追加配設により、電磁弁１４Ａ，１４Ｂの動作特性が補強される。詳しくは、電磁弁１４Ａ，１４Ｂが閉状態のときの冷媒漏れをより確実に防止できる。
【００８３】
分岐部Ｄ５５と庫内熱交換器５Ａのポート５Ａａとを接続する配管経路Ｌ１２Ａにおいて、電磁弁１６Ａは除去されると共に、分岐部Ｄ５５側から四方弁２Ａと逆止弁３６Ａとが直列に追加接続されている。
四方弁２Ａは、ポート２Ａｃが分岐部Ｄ５５と接続され、ポート２Ａｂと逆止弁３６Ａとが接続されている。逆止弁３６Ａは、庫内熱交換器５Ａのポート５Ａａに向かう流れのみを許容するように配設されている。
分岐部Ｄ５５と庫内熱交換器５Ｂのポート５Ｂａとを接続する配管経路Ｌ１２Ｂにおいて、電磁弁１６Ｂは除去されると共に、分岐部Ｄ５５側から四方弁２Ｂと逆止弁３６Ｂとが直列に追加接続されている。
四方弁２Ｂは、ポート２Ｂｃが分岐部Ｄ５５と接続され、ポート２Ｂｂと逆止弁３６Ｂとが接続されている。逆止弁３６Ｂは、庫内熱交換器５Ｂのポート５Ｂａに向かう流れのみを許容するように配設されている。
【００８４】
庫内熱交換器５Ａのポート５Ａｂと、配管経路Ｌ１２Ａにおける四方弁２Ａと逆止弁３６Ａとの間に設けられた分岐部Ｄ９Ａと、が、配管経路Ｌ１７Ａで接続されている。
配管経路Ｌ１７Ａには、分岐部Ｄ９Ａに向かう流れのみを許容する逆止弁３７Ａが配設されている。
庫内熱交換器５Ｂのポート５Ｂｂと、配管経路Ｌ１２Ｂにおける四方弁２Ｂと逆止弁３６Ｂとの間に設けられた分岐部Ｄ９Ｂと、が、配管経路Ｌ１７Ｂで接続されている。
配管経路Ｌ１７Ｂには、分岐部Ｄ９Ｂに向かう流れのみを許容する逆止弁３７Ｂが配設されている。
【００８５】
分岐部Ｄ７には、配管経路Ｌ１８の一端側が分岐接続されている。配管経路Ｌ１８の他端側には、分岐部Ｄ７７が設けられている。
分岐部Ｄ７７には、配管経路Ｌ１８Ａと配管経路Ｌ１８Ｂとが分岐接続されている。
配管経路Ｌ１８Ａは、庫内熱交換器５Ａのポート５Ａｂと逆止弁３７Ａとの間に設けられた分岐部Ｄ１０Ａと、分岐部Ｄ７７と、を接続している。
配管経路Ｌ１８Ａには、分岐部Ｄ７７に向かう流れのみを許容する逆止弁３８Ａが配設されている。
配管経路Ｌ１８Ｂは、庫内熱交換器５Ｂのポート５Ｂｂと逆止弁３７Ｂとの間に設けられた分岐部Ｄ１０Ｂと、分岐部Ｄ７７と、を接続している。
配管経路Ｌ１８Ｂには、分岐部Ｄ７７に向かう流れのみを許容する逆止弁３８Ｂが配設されている。
【００８６】
配管経路Ｌ９の一端側である分岐部Ｄ３と、四方弁２Ａのポート２Ａａ及び四方弁２Ｂのポート２Ｂａとは、それぞれ配管経路Ｌ１９Ａ及び配管経路Ｌ１９Ｂで接続されている。
四方弁２Ａ，２Ｂのポート２Ａｄ，２Ｂｄは、配管止め処理がなされている。
【００８７】
以上の点で冷媒回路５２と異なる冷媒回路１５２は、複数の四方弁２，２Ａ，２Ｂを有する。これらを纏めて四方弁群２Ｇと称する。
また、電磁弁１１〜１３，１４Ａ，１４Ｂを纏めて電磁弁群１１Ｇ２と称する。電磁弁群１１Ｇ２は、実施例１の電磁弁群１１Ｇに対し、電磁弁１５Ａ，１５Ｂ，１６Ａ，１６Ｂを除去した群である。
また、ファンＦ１，Ｆ２Ａ，Ｆ２Ｂは、実施例１と同様に、纏めてファン群ＦＧと称する。
庫内熱交換器５Ａを含む分岐部Ｄ２及び分岐部Ｄ５５と、分岐部Ｄ３及び分岐部Ｄ７７と、の間の配管経路を、庫内熱交換器ユニット５５ＡＵと称する。
庫内熱交換器５Ｂを含む分岐部Ｄ２及び分岐部Ｄ５５と、分岐部Ｄ３及び分岐部Ｄ７７と、の間の配管経路を、庫内熱交換器ユニット５５ＢＵと称する。
庫内熱交換器ユニット５５ＡＵと庫内熱交換器ユニット５５ＢＵとは、実質同じ配管経路である。すなわち、冷媒回路１５２において、二つの庫内熱交換器ユニットが並列に接続されている。
【００８８】
冷凍装置１５１は、冷凍装置５１と同様に、冷凍庫ＣＴを備えた冷凍車Ｃに搭載することができる。
次に、冷凍装置１５１の動作について、冷凍車Ｃに搭載された場合を例として図１９〜図２６を主に参照して説明する。
【００８９】
冷凍車Ｃは、冷凍装置１５１の動作によって、二つの庫室ＣＡ（第１室）と庫室ＣＢ（第２室）とを、それぞれ独立に、冷却，加温，除霜，停止（冷却も加温もしない）の四つの運転状態で維持できるようになっている。除霜は、庫内熱交換器５Ａ,５Ｂの除霜である。
すなわち、冷凍装置１５１は、制御部４１の制御によって、庫内熱交換器５Ａ，５Ｂそれぞれについて、冷却，加温，除霜，及び停止の四つの動作モードが選択的に実行できる。従って、各動作モードの組み合わせとして、二つの庫室ＣＡ，ＣＢに対し全停止を含め１６種の動作モードを実行可能とされる。
【００９０】
図１９は、全停止を含めた１６種の動作モード（モード番号２１〜３６）を示した表である。制御部４１は、この表に示されたように、四方弁群２Ｇ，電磁弁群１１Ｇ２，及びファン群ＦＧ（ファンＦ１，Ｆ２Ａ，Ｆ２Ｂ）を制御して各動作モードを選択的に実行する。
すなわち、四方弁群２Ｇ及び電磁弁群１１Ｇ２は、制御部４１の制御の下、冷媒回路１５２において冷媒が流れる流路を、動作モードに応じて選択的に切り替える流路切り替え部ＲＫ２とされている。
【００９１】
１６種の動作モードは、例えば次のようにも分類される。
二室冷却運転（モード番号２１）、二室加温運転（モード番号２２）、冷却・加温同時運転（モード番号２３，２４）、一室冷却運転（モード番号２５，２６）、一室加温運転（モード番号２７，２８）、除霜運転（モード番号２９〜３５）、全停止（モード番号３６）。
【００９２】
四方弁群２Ｇにおける四方弁２，２Ａ，２Ｂの切り替えモードについて、制御部４１は、実施例１の場合と同様に、図９に示されるモード＃Ａとモード＃Ｂとにそれぞれ独立に切り替える。
この切り替えにおいて、制御部４１は、庫室ＣＡ及び庫室ＣＢの少なくとも一方を加温又は除霜の動作モードとする場合、モード＃Ｂとし、それ以外の場合にモード＃Ａとする。
また、四方弁２Ａと四方弁２Ｂとのモード切り替えは、それぞれが配設された庫内熱交換器ユニット５５ＡＵと庫内熱交換器ユニット５５ＢＵとが、加温又は除霜の動作モードの場合、モード＃Ｂとし、冷却又は停止の動作モードの場合、モード＃Ａとする。
【００９３】
電磁弁群１１Ｇ２の開閉パターンは、冷媒回路５２における電磁弁群１１Ｇに含まれる電磁弁１１〜１３，１４Ａ，１４Ｂの開閉パターンと同じである。すなわち、図１０に示される対応がそのまま適用される。
【００９４】
ファン群ＦＧについても実施例と同様に、制御部４１は、ファンＦ１を、全停止（動作モード３６）以外のすべての動作モード２１〜３５でＯＮとし、ファンＦ２Ａ，Ｆ２Ｂは、それぞれが配設された庫室ＣＡ，ＣＢが冷却又は加温のときにＯＮとし、除霜又は停止のときにＯＦＦとする。
【００９５】
次に、除霜を含まない動作モード（モード番号２１〜２８）について、図２０〜図２６を参照して説明する。図２０〜図２６において、動作するファンにはハッチングを付与してある。また、ファンによって熱交換器に吸い込まれる空気よりも吹き出される空気の方が温度が低い場合、吹き出される空気を白ヌキ矢印で示し、温度が高い場合、黒矢印で示してある。また、冷媒の流れる経路を太線で示してある。
【００９６】
〔２−１〕二室冷却運転
＜モード番号２１：図２０参照＞
庫室ＣＡ及び庫室ＣＢを共に冷却するモードである。
このモード番号２１は、実施例１のモード番号１に対し、圧縮機１から庫内熱交換器５Ａ，５Ｂの出口となる各ポート５Ａｂ，５Ｂｂに至る冷媒流路は、配管Ｌ７Ａ，Ｌ７Ｂにおいてそれぞれ逆止弁３５Ａ，３５Ｂを通る点でのみ異なる。
すなわち、ポート５Ａａ，５Ｂａから庫内熱交換器５Ａ，５Ｂに流入した気液混合の冷媒は、通風内気との間で熱交換をし、冷媒は熱を奪ってガス化し、通風内気は熱を奪われて降温して庫室ＣＡ，ＣＢ内に送出される。これにより庫室ＣＡ，ＣＢは冷却される。
また、ポート５Ａｂ，５Ｂｂから分岐部Ｄ３に至る冷媒流路は、モード番号１と異なり、分岐部Ｄ３から圧縮機１へ至る戻り流路は、モード番号１と同じである。
そこで、以下、モード番号１と異なる庫内熱交換器５Ａのポート５Ａｂ及び庫内熱交換器５Ｂのポート５Ｂｂから分岐部Ｄ３に至る冷媒流路について、庫内熱交換器５Ａを通る流路、庫内熱交換器５Ｂを通る流路の順に説明する。
【００９７】
まず、庫内熱交換器５Ａにおいてガス化しポート５Ａｂから流出した冷媒は、配管経路Ｌ１７Ａを流れて逆止弁３７Ａを通り、四方弁２Ａがモード＃Ａとされていることから、ポート２Ａｂからポート２Ａａを通って配管経路Ｌ１９Ａに流入し、分岐部Ｄ３に達する。
【００９８】
一方、庫内熱交換器５Ｂにおいてガス化してポート５Ｂｂから流出した冷媒は、配管経路Ｌ１７Ｂを流れて逆止弁３７Ｂを通り、四方弁２Ｂがモード＃Ａとされていることから、ポート２Ｂｂからポート２Ｂａを通って配管経路Ｌ１９Ｂに流入し、分岐部Ｄ３に達する。
【００９９】
〔２−２〕二室加温運転
＜モード番号２２：図２１参照＞
庫室ＣＡ及び庫室ＣＢを共に加温するモードである。
このモード番号２２は、実施例１のモード番号２に対し、圧縮機１から分岐部Ｄ５５に至る冷媒流路については同じである。
分岐部Ｄ５５から庫内熱交換器５Ａ，５Ｂを経て分岐部Ｄ７７に至る冷媒流路は、モード番号２と異なり、分岐部Ｄ７７から圧縮機１へ至る戻り流路は、モード番号２と同じである。
そこで、以下、分岐部Ｄ５５から分岐部Ｄ７７に至る冷媒流路について、庫内熱交換器５Ａを通る流路、庫内熱交換器５Ｂを通る流路の順に説明する。
【０１００】
まず、分岐部Ｄ５５を通り、ガスとして配管経路Ｌ１２Ａに分岐流入した冷媒は、四方弁２Ａがモード＃Ｂとされていることから、四方弁２Ａのポート２Ａｃからポート２Ａｂを通り逆止弁３６Ａを経て庫内熱交換器５Ａに対しポート５Ａａから流入する。
庫内熱交換器５ＡのファンＦ２Ａは動作状態にある。そのため、庫内熱交換器５Ａ内で冷媒と通風内気との間で熱交換が行われ、冷媒は熱を奪われ大部分が凝縮液化して概ね液冷媒となり、通風内気は昇温して庫室ＣＡ内に送出される。これにより庫室ＣＡは加温される。
【０１０１】
概ね液化した冷媒は、庫内熱交換器５Ａのポート５Ａｂから流出し、逆止弁３８Ａを経て、分岐部Ｄ７７及び配管経路Ｌ１８と通り分岐部Ｄ７に達する。
【０１０２】
一方、分岐部Ｄ５５を通り配管経路Ｌ１２Ｂに分岐流入した冷媒（ガス冷媒）は、四方弁２Ｂはモード＃Ｂとされていることから、四方弁２Ｂのポート２Ｂｃからポート２Ｂｂを通り逆止弁３６Ｂを経て庫内熱交換器５Ｂに対しポート５Ｂａから流入する。
庫内熱交換器５ＢのファンＦ２Ｂは動作状態にある。そのため、庫内熱交換器５Ｂ内で冷媒と通風内気との間で熱交換が行われ、冷媒は熱を奪われ大部分が凝縮液化して概ね液冷媒となり、通風内気は昇温して庫室ＣＢ内に送出される。これにより庫室ＣＢは加温される。
【０１０３】
概ね液化した冷媒は、庫内熱交換器５Ｂのポート５Ｂｂから流出し、逆止弁３８Ｂを経て、分岐部Ｄ７７及び配管経路Ｌ１８を通り分岐部Ｄ７に達する。
【０１０４】
〔２−３〕冷却・加温同時運転
モード番号２３及びモード番号２４は、二つの庫室の一方を加温し他方を冷却するという加温運転と冷却運転とを同時に実行する動作モードである。
【０１０５】
＜モード番号２３（庫室ＣＡ加温、庫室ＣＢ冷却）：図２２参照＞
このモードは、庫室ＣＡに対応する庫内熱交換器ユニット５５ＡＵを加温運転し、庫室ＣＢに対応する庫内熱交換器ユニット５５ＢＵを冷却運転する。
圧縮機１から分岐部Ｄ５５に至る冷媒の流れは、モード番号２２と同じである。
分岐部Ｄ５５以降について、モード番号２３では、四方弁２Ｂがモード＃Ａとされてポート２Ｂｃからの流入が止められているため、冷媒（ガス冷媒）は、配管経路Ｌ１２Ａにのみ流入する。
配管経路Ｌ１２Ａに流入した冷媒は、四方弁２Ａがモード＃Ｂとされていることから、四方弁２Ａのポート２Ａｃからポート２Ａｂを通り逆止弁３６Ａを経て庫内熱交換器５Ａに対しポート５Ａａから流入する。
庫内熱交換器５ＡのファンＦ２Ａは動作状態にある。そのため、庫内熱交換器５Ａ内で冷媒と通風内気との間で熱交換が行われ、冷媒は熱を奪われ大部分が凝縮液化して概ね液冷媒となり、通風内気は昇温して庫室ＣＡ内に送出される。これにより庫室ＣＡは加温される。
庫内熱交換器５Ａから流出する冷媒は、高圧の概ね液化した冷媒であるが、庫室ＣＡ内の熱負荷等の運転環境に応じた量でガス冷媒が含まれている。
この概ね液化した高圧の冷媒は、ポート５Ａｂを出て配管経路Ｌ１８Ａに流入し、逆止弁３８Ａを経て、分岐部Ｄ７７及び配管経路Ｌ１８を通り分岐部Ｄ７から配管経路Ｌ１１に入る。そして、庫外熱交換器３の第１庫外熱交換器３Ａに対しポート３Ａａから流入する。
【０１０６】
庫外熱交換器３のファンＦ１は動作状態にある。そのため、第１庫外熱交換器３Ａ内で液冷媒と通風外気との熱交換が行われ、液冷媒は熱を奪われて降温し過冷却度が増加する。すなわち、第１庫外熱交換器３Ａは、液冷媒に対し過冷却熱交換器として機能する。
第１庫外熱交換器３Ａに、液冷媒と共に流入した未凝縮のガス冷媒も、通風外気との熱交換により熱を奪われて冷却されて完全に液化する。
【０１０７】
第１庫外熱交換器３Ａでの熱交換後、液冷媒はポート３Ａｂから配管経路Ｌ６に流入し、電磁弁１２を経て分岐部Ｄ２に達する。
このモードでは、電磁弁１４Ａが閉状態、電磁弁１４Ｂが開状態にあるため、液冷媒は、配管経路Ｌ７Ｂのみに流入し、電磁弁１４Ｂ及び逆止弁３５Ｂを経て膨張弁２２Ｂに入る。
液冷媒は、膨張弁２２Ｂにおいて、減圧膨張して低温の気液混合冷媒となり、庫内熱交換器５Ｂに対しポート５Ｂａから流入する。
庫内熱交換器５ＢのファンＦ２Ｂは動作状態にある。そのため、庫内熱交換器５Ｂ内で気液混合冷媒は、通風内気から熱交換により熱を奪ってガス化し、完全なガス冷媒となる。一方、通風内気は降温して庫室ＣＢ内に送出される。これにより庫室ＣＢは冷却される。
【０１０８】
ガス化した冷媒は、ポート５Ｂｂから配管経路Ｌ１７Ｂに流入する。そして、逆止弁３７Ｂ及びモード＃Ａとされた四方弁２Ｂのポート２Ｂｂ，２Ｂａを経て配管経路Ｌ１９Ｂ，Ｌ１５を流れ、アキュムレータ６を経て圧縮機１の吸い込み口に戻る。
【０１０９】
＜モード番号２４（庫室ＣＡ冷却、庫室ＣＢ  加温）：図２３参照＞
このモード番号２４は、モード番号２３に対し、加温する庫内熱交換器ユニットと冷却する庫内熱交換器ユニットとを入れ替えたものである。
すなわち、四方弁２Ａ及び四方弁２Ｂのモードを逆にし、四方弁２Ａをモード＃Ａ、四方弁２Ｂをモード＃Ｂとして圧縮機１からの高圧のガス冷媒を、庫内熱交換器５Ｂのみに流入させる。
また、電磁弁１４Ａ及び電磁弁１４Ｂの開閉状態を逆にし、電磁弁１４Ａを開状態、電磁弁１４Ｂを閉状態にして、第１庫外熱交換器３Ａで冷却された液冷媒を、庫内熱交換器５Ａのみに流入させる。
これにより庫室ＣＡは冷却され、庫室ＣＢは加温される。
【０１１０】
この加温と冷却とを同時に実行する動作モード２３及び動作モード２４では、上述のように、第１庫外熱交換器３Ａにおいて液冷媒の過冷却度が増加する。そのため、その過冷却度が増加した分、冷却運転となる庫内熱交換器の冷却能力が増加する。
【０１１１】
〔２−４〕一室冷却運転
＜モード番号２５，２６：図２４参照＞
一室冷却運転は、二つの庫室ＣＡ，ＣＢの内、一方を冷却し、他方を運転停止とする。ここで運転停止とは、継続的に運転を止めている場合と、二室冷却運転中に庫室内温度が設定温度に達したため一時的に止めている場合と、の両方を含む。
【０１１２】
モード番号２５は、庫室ＣＡを冷却し、庫室ＣＢを運転停止とする運転モードであり、その冷媒流路が図２４の太実線で示されている。
すなわち、モード番号２５は、二室冷却運転のモード番号２１（図２０参照）に対し、電磁弁１４Ｂを閉状態にして庫内熱交換器ユニット５５ＢＵに冷媒が流入しないようにすると共にファンＦ２Ｂを停止させた動作モードである。モード番号２１と共通する冷媒流路における冷媒の相状態や庫外熱交換器３及び庫内熱交換器５Ａでの熱交換作用等は、モード番号２１の場合と同じである。
【０１１３】
モード番号２６は、庫室ＣＢを冷却し、庫室ＣＡを運転停止とする運転モードであり、その冷媒流路は、分岐部Ｄ２と分岐部Ｄ３との間のみ異なり、図２４の太破線で示される流路となる。
すなわち、モード番号２６は、二室冷却運転のモード番号２１（図２０参照）に対し、電磁弁１４Ａを閉状態にして庫内熱交換器ユニット５５ＡＵに冷媒が流入しないようにすると共にファンＦ２Ａを停止させた動作モードである。モード番号２１と共通する冷媒流路における冷媒の相状態や庫外熱交換器３及び庫内熱交換器５Ｂでの熱交換作用等は、モード番号２１の場合と同じである。
【０１１４】
〔２−５〕一室加温運転
＜モード番号２７：図２５参照＞
一室加温運転は、二つの庫室ＣＡ，ＣＢの内、一方を加温し、他方を運転停止とする。ここで運転停止とは、継続的に運転を止めている場合と、二室加温運転中に庫室内温度が設定温度に達したため一時的に止めている場合と、の両方を含む。
【０１１５】
モード番号２７は、庫室ＣＡを加温し、庫室ＣＢを運転停止とする運転モードであり、その冷媒流路が図２５の太実線で示されている。
すなわち、モード番号２７は、二室加温運転のモード番号２２（図２１参照）に対し、四方弁２Ｂをモード＃Ａとして庫内熱交換器ユニット５５ＢＵに冷媒が流入しないようにすると共にファンＦ２Ｂを停止させたものである。モード番号２２と共通する冷媒流路における冷媒の相状態や庫外熱交換器３及び庫内熱交換器５Ａでの熱交換作用等は、モード番号２２の場合と同じである。
【０１１６】
＜モード番号２８：図２６参照＞
モード番号２８は、庫室ＣＢを加温し、庫室ＣＡを運転停止とする運転モードであり、その冷媒流路が図２６の太破線で示されている。
すなわち、モード番号２８は、二室加温運転のモード番号２２（図２１参照）に対し、四方弁２Ａをモード＃Ａとして庫内熱交換器ユニット５５ＡＵに冷媒が流入しないようにすると共にファンＦ２Ａを停止させたものである。モード番号２２と共通する冷媒流路における冷媒の相状態や庫外熱交換器３及び庫内熱交換器５Ｂでの熱交換作用等は、モード番号２２の場合と同じである。
【０１１７】
〔２−６〕除霜運転（庫内熱交換器５Ａ，５Ｂの除霜）
例えば庫室ＣＡを動作モード２１，２４，２５のいずれかで長時間冷却すると、庫内熱交換器５Ａのフィンに、庫室ＣＡ内の空気に含まれる水分が凍結して霜として付着する場合がある。フィンに霜が付着すると熱交換が阻害されるので、庫内熱交換器５Ａのデフロスト運転を実行して除霜する。デフロスト運転は熱交換器５Ｂにも同様に実行される。
冷媒回路１５２はヒートポンプ式であるから、除霜にはいわゆる逆サイクルのデフロストを行う。
具体的には、冷却運転される熱交換器を加温運転とし、該当するファンを停止させる。以下、運転モード毎の詳細を、図１９を参照して説明する。
【０１１８】
＜モード番号２９＞
庫内熱交換器５Ａの除霜のみを行うデフロスト運転の動作モードであり、庫内熱交換器５Ａのみを加温運転するモード番号２７の動作モードにおいてファンＦ２Ａを停止（ＯＦＦ）させたものである。
＜モード番号３０＞
庫内熱交換器５Ｂの除霜のみを行うデフロスト運転の動作モードであり、庫内熱交換器５Ｂのみを加温運転するモード番号２８の動作モードにおいてファンＦ２Ｂを停止（ＯＦＦ）させたものである。
＜モード番号３１＞
庫内熱交換器５Ａと庫内熱交換器５Ｂとの両方を除霜するデフロスト運転の動作モードであり、二室加温運転（モード番号２２）の動作モードにおいて、ファンＦ２Ａとファン２Ｂとの両方を停止（ＯＦＦ）させたものである。
【０１１９】
また、冷凍装置１５１は、冷凍庫ＣＴの二つの庫室ＣＡ，ＣＢの内の一方の庫室を除霜しながら他方の庫室を加温又は冷却することができる。
＜モード番号３２＞
庫内熱交換器５Ａを除霜し、庫内熱交換器５Ｂを加温運転する動作モードであり、二室加温運転（モード番号２２）の動作モードにおいて、ファンＦ２Ａを停止（ＯＦＦ）させたものである。
＜モード番号３３＞
庫内熱交換器５Ｂを除霜し、庫内熱交換器５Ａを加温運転する動作モードであり、二室加温運転（モード番号２２）の動作モードにおいて、ファンＦ２Ｂを停止（ＯＦＦ）させたものである。
＜モード番号３４＞
庫内熱交換器５Ａを除霜し、庫内熱交換器５Ｂを冷却運転する動作モードであり、冷却・加温同時運転におけるモード番号２３の動作モードにおいて、ファンＦ２Ａを停止（ＯＦＦ）させたものである。
＜モード番号３５＞
庫内熱交換器５Ｂを除霜し、庫内熱交換器５Ａを冷却運転する動作モードであり、冷却・加温同時運転におけるモード番号２４の動作モードにおいて、ファンＦ２Ｂを停止（ＯＦＦ）させたものである。
【０１２０】
上述の冷凍装置１５１は、圧縮機１から吐出した冷媒を庫内熱交換器５Ａに導入する第１の配管経路（配管経路Ｌ１，Ｌ１４，Ｌ１１，Ｌ１２，Ｌ１２Ａ）ＬＨ１１と、庫内熱交換器５Ａで凝縮して液相化した冷媒を庫外熱交換器３に導入する第２の配管経路（配管経路Ｌ１８Ａ，Ｌ１１）ＬＨ１２と、庫外熱交換器３で過冷却された液相の冷媒を第庫内熱交換器５Ｂに導入する第３の配管経路（配管経路Ｌ６，Ｌ７Ｂ）ＬＨ１３と、を含む第１の冷媒流路Ｒ１１と（図２２参照）、
圧縮機１から吐出した冷媒を庫内熱交換器５Ａ及び庫内熱交換器５Ｂに対し分岐して導入する第４の配管経路（配管経路Ｌ１，Ｌ１４，Ｌ１１，Ｌ１２，Ｌ１２Ａ，Ｌ１２Ｂ）ＬＨ１４と、庫内熱交換器５Ａ，５Ｂで液相化した冷媒を庫外熱交換器３に導入する第５の配管経路（配管経路Ｌ１８Ａ，Ｌ１８Ｂ，Ｌ１８，Ｌ１１）ＬＨ１５と、を含む第２の冷媒流路Ｒ１２と（図２１参照）、
圧縮機１から吐出したガス相の冷媒を庫外熱交換器３に導入する第６の配管経路（配管経路Ｌ１，Ｌ２）ＬＨ１６と、庫外熱交換器３で凝縮して液相化した冷媒を庫内熱交換器５Ａ及び庫内熱交換器５Ｂに対し分岐して導入する第７の配管経路（配管経路Ｌ１１，Ｌ１０，Ｌ７Ａ，Ｌ７Ｂ）ＬＨ１７と、を含む第３の冷媒流路Ｒ１３と（図２０参照）、
を有する冷媒回路１５２と、
冷媒を流す流路として、第１の冷媒流路Ｒ１１と、第２の冷媒流路Ｒ１２と、第３の冷媒流路Ｒ１３と、を選択的に切り替える流路切り替え部ＲＫ２（四方弁群２Ｇ，電磁弁群１１Ｇ２）と（図１９参照）、を備えている。
また、第２の冷媒流路Ｒ２における第４の配管経路ＬＨ１４の一部と第３の冷媒流路Ｒ３における第７の配管経路ＬＨ１７の一部とは、共通の部分である共通配管ＬＫとされている。具体的には、配管経路Ｌ１１における分岐部Ｄ４と分岐部Ｄ５との間である。そして、この共通配管ＬＫに、受液器４が配設されている。
【０１２１】
以上詳述した実施例１及び実施例２では、以下のように庫外熱交換器３の除霜を行うことができる。
モード番号２，７，８，２２，２７，２８の、庫外熱交換器３の第２庫外熱交換器３Ｂを蒸発器として機能させる二室同時加温又は一室加温運転を長時間行うと、第２庫外熱交換器３Ｂのフィンに、外気に含まれる水分が凍結して霜として付着する場合がある。
この場合に、冷凍装置５１，１５１は、図８，図１９の動作モードに分類されていないが、庫外熱交換器３のデフロスト運転を実行することができる。
このデフロスト運転は、二部屋冷却運転のモード番号１，２１の動作モードにおいて、すべてのファンＦ１，Ｆ２Ａ，Ｆ２Ｂを停止（ＯＦＦ）させた動作である。
【０１２２】
以上詳述した冷凍装置５１及び冷凍装置１５１、並びに、そのいずれかを備えた冷凍庫ＣＴ及び冷凍車Ｃは、ヒートポンプ式の冷媒回路５２，１５２を有する。
従って、圧縮機１の動作で得られる熱エネルギのみならず、庫内熱交換器５Ａ，５Ｂのいずれかを加温運転する動作モードにおいては、庫外熱交換器３によって外気から得る熱エネルギを用い、また、加温と冷却とを同時運転する動作モードにおいては更に冷却する庫室の内気から得る熱エネルギを加えて、加温すべき庫室を加温する。これにより、より優れた加温能力が得られる。
【０１２３】
冷媒回路５２及び冷媒回路１５２は、全停止以外の動作モードにおいて、受液器４に冷媒が通るようになっている。
受液器４には、複数の庫内熱交換器５Ａ，５Ｂのうち、少なくとも一つを加温又は除霜運転する動作モード（モード番号２〜４，７〜１５，２２〜２４，２７〜３５）においてガス冷媒が満たされる。
これにより、これらの動作モードでは受液器４に滞留する液冷媒がないので、冷媒回路５２，１５２内の冷媒全部を利用でき、連続的に加温又は除霜運転をしても冷媒不足となりにくい。
【０１２４】
冷媒回路５２及び冷媒回路１５２は、加温及び除霜運転を含まない動作モード（モード番号１，５，６，２１，２５，２６）において、受液器４に液冷媒が蓄留可能とされている。
詳しくは、冷却運転において余剰冷媒が生じる状況の場合、その余剰冷媒を受液器４に確保できるようになっている。
一方、加温及び除霜運転で余剰の冷媒が生じる運転状況の場合、第１庫外熱交換器３Ａにおいて、液冷媒として冷媒回路５２，１５２内を循環する適切な冷媒量に応じた余剰分の冷媒を確保できる。
これにより、冷却運転、並びに、加温及び除霜運転を連続で行っても、回路内圧力を最適に高く維持でき、運転能力が高度に維持される。そのため、庫室内の設定温度を高精度で安定維持させることができる。
【０１２５】
冷媒回路５２及び冷媒回路１５２の庫外熱交換器３は、複数すべての庫内熱交換器５Ａ，５Ｂを加温及び除霜を含まない動作モード（モード番号１，５，６，２１，２５，２６）で運転した場合、第２庫外熱交換器３Ｂが、第１庫外熱交換器３Ａと一体的に凝縮器として機能する。
これにより、冷凍装置５１，１５１は高い冷却能力を有する。
【０１２６】
また、複数の庫内熱交換器５Ａ，５Ｂの内の、少なくとも一つを加温又は除霜運転する動作モード（モード番号２〜４，７〜１５，２２〜２４，２７〜３５）で運転した場合、第１庫外熱交換器３Ａは、過冷却熱交換器として機能する。
これにより、冷凍装置５１，１５１は、過冷却度の増加分だけ冷却能力が向上している。
さらに、加温又は除霜運転となる庫内熱交換器５Ａ，５Ｂのポート５Ａｂ，５Ｂｂからは気液混合冷媒が流出する。すなわち、ポート５Ａａ，５Ｂａからポート５Ａｂ，５Ｂｂに至る熱交換器内にて冷媒の凝縮が起こるので、熱交換器の全体で放熱し、熱交換器の熱交換効率が向上する。
【０１２７】
冷媒回路５２及び冷媒回路１５２において、複数の庫内熱交換器５Ａ，５Ｂは、それぞれ冷媒の入出力のための一対のポートを有し、一対のポートそれぞれに、二系統の入出力配管経路を有している。
例えば、冷媒回路５２の庫内熱交換器５Ａについて図１を参照して説明すると、庫内熱交換器５Ａは、入出力のための一対のポート５Ａａ，５Ａｂを有する。
ポート５Ａａについては、分岐部Ｄ２に接続する配管経路Ｌ７Ａと、分岐部Ｄ５５に接続する配管経路Ｌ１２Ａと、の二系統の経路を有している。
ポート５Ａｂについては、分岐部Ｄ３に接続する配管経路Ｌ８Ａと、分岐部Ｄ７７に接続する配管経路Ｌ１３Ａと、の二系統の経路を有している。
ここで、配管経路Ｌ７Ａと、配管経路Ｌ８Ａと、の組み合わせを第１の経路とし、配管経路Ｌ１２Ａと、配管経路Ｌ１３Ａと、の組み合わせを第２の経路とすると、冷媒回路５２は、庫内熱交換器５Ａを冷却運転する動作モードにおいて、第１の経路を冷媒が流れ、加温又は除霜運転する動作モードにおいて、第２の経路を冷媒が流れるようになっている。庫内熱交換器５Ｂについても同様である。
【０１２８】
一方、冷媒回路１５２の庫内熱交換器５Ａについて説明すると、ポート５Ａａについては、分岐部Ｄ２に接続する配管経路Ｌ７Ａと、分岐部Ｄ５５に接続する配管経路Ｌ１２Ａと、の二系統の経路を有している。
ポート５Ａｂについては、分岐部Ｄ３に接続する配管経路Ｌ１７Ａ及び配管経路Ｌ１９Ａと、分岐部Ｄ７７に接続する配管経路Ｌ１８Ａと、の二系統の経路を有している。
ここで、配管経路Ｌ７Ａと、配管経路Ｌ１７Ａ及び配管経路Ｌ１９Ａとの組み合わせを第１の経路とし、配管経路Ｌ１２Ａと配管経路Ｌ１８Ａとの組み合わせを第２の経路とすると、冷媒回路１５２は、庫内熱交換器５Ａを冷却運転する動作モードにおいて、第１の経路を冷媒が流れ、加温又は除霜運転する動作モードにおいて、第２の経路を冷媒が流れるようになっている。庫内熱交換器５Ｂについても同様である。
【０１２９】
すなわち、第１の経路及び第２の経路を有する庫内熱交換器５Ａ，５Ｂには、いずれの動作モードにおいても、冷媒が同じ方向に流れるようになっている。具体的には、ポート５Ａａ，５Ｂａからポート５Ａｂ，ポート５Ｂｂに向けて流れる。
【０１３０】
動作モードを、庫内熱交換器５Ａ，５Ｂが凝縮器として機能する動作モードから蒸発器として機能する動作モードに切り替えた際に、庫内熱交換器５Ａ，５Ｂの内部から圧縮機１に向け戻る冷媒は、気液混合冷媒である。
そのため、この動作モードの切り替えによって多量の液冷媒が圧縮機１に向け戻ることはなく、圧縮機１が液圧縮で壊れる虞はない。
さらに、この切り替え動作は、冷凍装置１５，１５１を一旦停止して冷媒回路内の圧力を均衡させることなく実行可能である。そのため、冷凍装置５１，１５１の運転効率は向上する。
【０１３１】
冷凍装置５１，１５１は、ヒートポンプ式の冷媒回路５２，１５２を有し、複数の庫内熱交換器５Ａ，５Ｂに対し、交互に冷媒を循環流通させることなく常に冷媒を循環させつつ冷却運転と加温運転とのいずれかを実行させることができる。
これにより、庫内熱交換器５Ａ，５Ｂがそれぞれ配設された庫室ＣＡ，ＣＢの内部温度が、設定温度に対して上下変化しにくく、設定温度に対して精度よく安定維持させることができる。
【０１３２】
実施例の冷凍装置５１，１５１は、上述した構成に限定されるものではなく、本発明の要旨を逸脱しない範囲において変形例としてもよい。
【０１３３】
＜変形例１：図２７参照＞
変形例１は、冷凍装置５１，１５１の冷媒回路５２，１５２において、庫内熱交換器５Ａのポート５Ａａに流入する前の配管経路Ｌ７Ａにおける分岐部Ｄ２と膨張弁２２Ａとの間を流れる冷媒と、ポート５Ａｂから流出した冷媒と、の間で熱交換を行う気液熱交換器４３Ａを配設した例である。図２７は、冷媒回路５２に気液熱交換器４３Ａを配設した例が示されている。
【０１３４】
配管経路Ｌ７Ａに冷媒が流れるのは、庫内熱交換器５Ａを蒸発器として機能させる冷却運転を行う場合である。
このとき、膨張弁２２Ａには、高圧の液冷媒が流入する一方、ポート５Ａｂからは液冷媒よりも低温のガス冷媒が流出する。そのため、気液熱交換器４３Ａにおいて、膨張弁２２Ａに向かう液冷媒が冷却され過冷却度が増加する。
これにより、この変形例１を搭載した冷凍庫ＣＴ及び冷凍車Ｃは、庫内熱交換器５Ａにおける熱交換で庫室ＣＡ内の空気から奪う熱量が増加するので、庫室ＣＡ内を冷却する能力が向上する。
また、庫内熱交換器５Ａにおける液冷媒の蒸発が促進されるので、圧縮機１に対するいわゆる液バック現象の発生が防止できる。
【０１３５】
庫内熱交換器５Ａを加温又は除霜運転させる場合は、配管経路Ｌ７Ａに冷媒は流れないので、気液熱交換器４３Ａは機能しない。
庫内熱交換器５Ｂにも、同様に気液熱交換器４３Ｂを配設してもよい。図２７では、冷媒回路５２における庫内熱交換器５Ｂに対し気液熱交換器４３Ａと同様の機能を発揮する気液熱交換器４３Ｂを配設した例が示されている。不図示であるが、冷媒回路１５２においても、同様に気液熱交換器４３Ａ，４３Ｂを配設してよい。
【０１３６】
＜変形例２：図２８，図２９参照＞
冷凍装置５１，１５１は、庫内熱交換器を三つ以上備えていてもよい。
図２８には、冷凍装置５１における庫内熱交換ブロックＭ３に対し、三つ目の庫内熱交換器ユニット５ＣＵを並列追加した庫内熱交換ブロックＭ２３が例示されている。
図２９には、冷凍装置１５１における庫内熱交換ブロックＭ１３に、三つ目の庫内熱交換器ユニット５５ＣＵを並列追加した庫内熱交換器ブロックＭ３３が例示されている。
【０１３７】
三つの庫内熱交換器ユニットを有する冷凍装置５１，１５１が搭載された冷凍庫ＣＴ及び冷凍車Ｃは、三つ目の庫内熱交換器ユニット５ＣＵ，５５ＣＵに含まれる庫内熱交換器５Ｃが配設される庫室ＣＣ（図示せず）を有する。
例えば、変形例２の内の、庫内熱交換器を三つとした冷凍装置を用いることで、三つの庫室ＣＡ〜庫室ＣＣを、それぞれ独立して冷却・加温・除霜・停止の四通りの運転状態にすることができる。すなわち、全停止を含め、６４通りの動作モードを実行できる。
【０１３８】
＜他の変形例＞
庫外熱交換器３及び複数の庫内熱交換器５Ａ〜５Ｃの構造は、上述のフィンアンドチューブ式構造に限定されない。例えば、サーペンタイン式やパラレルフロー式の構造であってもよく、この場合でも同様の効果が得られる。
【０１３９】
冷凍装置５１，１５１により設定可能な庫室内の温度領域は限定されない。少なくとも冷凍及び冷蔵に対応する温度領域は含まれる。
【符号の説明】
【０１４０】
１  圧縮機
２，２Ａ，２Ｂ  四方弁
２ａ〜２ｄ，２Ａａ〜２Ａｄ，２Ｂａ〜２Ｂｄ  （四方弁の）ポート
２Ｇ  四方弁群
３  庫外熱交換器
３Ａ  第１庫外熱交換器、    ３Ａａ，３Ａｂ  ポート
３Ｂ  第２庫外熱交換器、    ３Ｂａ，３Ｂｂ  ポート、    ３ｃ  管
３ＬＡ，３ＬＢ  冷媒配管経路
４  受液器
５Ａ，５Ｂ，５Ｃ  庫内熱交換器
５ＡＵ，５ＢＵ，５ＣＵ，５５ＡＵ，５５ＢＵ，５５ＣＵ  庫内熱交換器ユニット
６  アキュムレータ
１１，１２，１３，１４Ａ，１４Ｂ，１５Ａ，１５Ｂ，１６Ａ，１６Ｂ  電磁弁
１１Ｇ，１１Ｇ２  電磁弁群
２１，２２Ａ，２２Ｂ  膨張弁
３１ａ，３１ｂ，３２Ａ，３２Ｂ，３３，３４，３５Ａ，３５Ｂ，３６Ａ，３６Ｂ，３７Ａ，３７Ｂ，３８Ａ，３８Ｂ，３９  逆止弁、    ３１Ｇ  逆止弁群
４１  制御部、    ４２  入力部
４３Ａ，４３Ｂ  気液熱交換器
５１，１５１  冷凍装置、    ５２，１５２  冷媒回路
Ｃ  冷凍車、    ＣＨ  車両本体部、    ＣＴ  冷凍庫
ＣＡ，ＣＢ，ＣＣ  庫室、    ＣＶＡ，ＣＶＢ  内部空間
Ｄ１，Ｄ２，Ｄ３，Ｄ４，Ｄ５，Ｄ６Ａ，Ｄ６Ｂ，Ｄ７，Ｄ８  ，Ｄ９Ａ，Ｄ５５，Ｄ７７，Ｄ１０Ａ，Ｄ１０Ｂ  分岐部
Ｇ，ＧＡ，ＧＢ，ＧＡ１〜ＧＡ３，ＧＢ１〜ＧＢ９  配管列群
Ｆ１，Ｆ２Ａ，Ｆ２Ｂ  ファン（送風機）、    ＦＧ  ファン群
ＬＨ１〜ＬＨ７，ＬＨ１１〜ＬＨ１７  第１〜第７の配管経路
ＬＫ  共通配管、
ＬＰ１  並列回路
Ｌ１，Ｌ２，Ｌ３，Ｌ４ａ，Ｌ４ｂ，Ｌ５，Ｌ６，Ｌ７Ａ，Ｌ７Ｂ，Ｌ８Ａ，
Ｌ８Ｂ，Ｌ９，Ｌ１０，Ｌ１１，Ｌ１２，Ｌ１２Ａ，Ｌ１２Ｂ，Ｌ１３，
Ｌ１３Ａ，Ｌ１３Ｂ，Ｌ１４，Ｌ１５，Ｌ１６，Ｌ１７Ａ，Ｌ１７Ｂ，Ｌ１８，
Ｌ１８Ａ，Ｌ１８Ｂ，Ｌ１９Ａ，Ｌ１９Ｂ  配管経路
Ｍ１，Ｍ１１  源流ブロック
Ｍ２，Ｍ１２  庫外熱交換ブロック
Ｍ３，Ｍ１３，Ｍ２３，Ｍ３３  庫内熱交換ブロック
Ｍ３ａ，Ｍ３ｂ，Ｍ３ｃ  ブロックポート
Ｐ１〜Ｐ９  パス
ＲＫ１，ＲＫ２  流路切り替え部、    Ｒ１〜Ｒ３，Ｒ１１〜Ｒ１３  冷媒流路
Ｓ  収容体、    ＷＤ  通風外気
【図１】
0006484067.tif 000002
【図２】
0006484067.tif 000003
【図３】
0006484067.tif 000004
【図４】
0006484067.tif 000005
【図５】
0006484067.tif 000006
【図６】
0006484067.tif 000007
【図７】
0006484067.tif 000008
【図８】
0006484067.tif 000009
【図９】
0006484067.tif 000010
【図１０】
0006484067.tif 000011
【図１１】
0006484067.tif 000012
【図１２】
0006484067.tif 000013
【図１３】
0006484067.tif 000014
【図１４】
0006484067.tif 000015
【図１５】
0006484067.tif 000016
【図１６】
0006484067.tif 000017
【図１７】
0006484067.tif 000018
【図１８】
0006484067.tif 000019
【図１９】
0006484067.tif 000020
【図２０】
0006484067.tif 000021
【図２１】
0006484067.tif 000022
【図２２】
0006484067.tif 000023
【図２３】
0006484067.tif 000024
【図２４】
0006484067.tif 000025
【図２５】
0006484067.tif 000026
【図２６】
0006484067.tif 000027
【図２７】
0006484067.tif 000028
【図２８】
0006484067.tif 000029
【図２９】
0006484067.tif 000030